(57)【要約】ユーザによって視聴番組設定部１０５に設定された視聴予定の番組の番組情報に基づいて、視聴時間算出部１０６が視聴予定の番組の合計視聴時間を算出する。消費電力算出部１０７は、前記合計視聴時間から消費電力量を算出する。一方、電池残量検出部１０９は、電池の残量を検出する。そして、電池残量が前記消費電力量よりも少ない場合に充電通知部１１０によって充電が必要な旨をユーザに通知する。【特許請求の範囲】
【請求項１】
電池を電源としたテレビ放送受信装置であって、
テレビ放送信号を受信する受信部と、
前記受信部が受信したテレビ放送信号に含まれる番組の映像データおよび音声データの復号化、および再生を行う再生部と、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記受信部と前記再生部とが前記合計視聴時間の動作をした場合に消費する合計消費電力量を算出する消費電力算出部と、
前記電池の電池残量を検出する電池残量検出部と、
前記合計消費電力量が、前記電池残量検出部が検出した電池残量よりも大きい場合に、前記電池の充電が必要である旨をユーザに通知する充電通知部と、
を備えたことを特徴とするテレビ放送受信装置。
【請求項２】
請求項１のテレビ放送受信装置であって、
前記テレビ放送信号は、番組の開始時間、および終了時間を示す番組情報を含んだ信号であり、
前記視聴番組設定部は、前記番組情報の一覧を表示するとともに、表示された番組情報のうちから選択された番組情報が設定されるように構成されていることを特徴とするテレビ放送受信装置。
【請求項３】
請求項２のテレビ放送受信装置であって、
前記番組情報は、さらに番組の放送延長時間を示す情報を含むものであり、
前記視聴時間算出部は、前記視聴番組設定部に設定された全番組情報についての前記視聴時間の合計に、さらに前記放送延長時間を加算して前記合計視聴時間として算出するように構成されていることを特徴とするテレビ放送受信装置。
【請求項４】
請求項１のテレビ放送受信装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記受信部と前記再生部とが前記累積視聴時間の動作をした場合に消費する消費電力量を前記合計消費電力量として算出するように構成され、
前記充電通知部は、前記合計消費電力量が、前記電池残量検出部が検出した電池残量よりも大きい場合には、番組を視聴できない旨を通知するように構成されていることを特徴とするテレビ放送受信装置。
【請求項５】
請求項１のテレビ放送受信装置であって、
さらに、前記電池を電源とする携帯電話部を備え、
前記消費電力算出部は、前記受信部と前記再生部とが前記合計視聴時間の動作をした場合に消費する消費電力量と、現在時刻から前記視聴番組設定部に設定された視聴する予定の番組に係る番組情報の終了時間までに、前記携帯電話部が待ち受け状態で動作する場合の消費電力量との合計を前記合計消費電力量として算出するように構成されていることを特徴とするテレビ放送受信装置。
【請求項６】
請求項１のテレビ放送受信装置であって、さらに、
現在の時刻を計測するタイマ部と、
ユーザが指定した時刻を示す時刻情報を設定する時刻設定部とを備え、
前記消費電力算出部は、前記タイマ部が計測した現在時刻と前記時刻設定部に設定された前記時刻情報とが一致した場合に、前記合計消費電力量を算出するように構成され、
前記充電通知部は、前記タイマ部が計測した現在時刻と前記時刻設定部に設定された前記時刻情報とが一致した場合に、前記通知を行うように構成されていることを特徴とするテレビ放送受信装置。
【請求項７】
請求項１のテレビ放送受信装置であって、さらに、
現在の位置情報を検出する位置情報検出部と、
ユーザが指定した位置を示す位置情報を設定する位置情報設定部とを備え、
前記消費電力算出部は、前記位置情報検出部が検出した位置情報と前記位置情報設定部に設定された前記位置情報とが一致した場合に、前記合計消費電力量を算出するように構成され、
前記充電通知部は、前記位置情報検出部が検出した位置情報と前記位置情報設定部に設定された前記位置情報とが一致した場合に、前記通知を行うように構成されていることを特徴とするテレビ放送受信装置。
【請求項８】
電池を電源としたテレビ放送受信装置の制御装置であって、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記合計視聴時間の番組視聴をした場合に消費する合計消費電力量を算出する消費電力算出部と、
前記電池の電池残量を検出する電池残量検出部と、
前記合計消費電力量が、前記電池残量取得部が取得した電池残量よりも大きい場合に、前記電池の充電が必要であると判定する充電判定部と、
を備えたことを特徴とするテレビ放送受信装置の制御装置。
【請求項９】
請求項８のテレビ放送受信装置の制御装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記累積視聴時間の番組視聴をした場合に消費する消費電力量を前記合計消費電力量として算出するように構成され、
前記充電判定部は、前記合計消費電力量が、前記電池残量検出部が検出した電池残量よりも大きい場合には、番組を視聴できないと判定するように構成されていることを特徴とするテレビ放送受信装置の制御装置。
【請求項１０】
請求項１のテレビ放送受信装置であって、
前記電池は、電池残量を検出する機能を有したものであり、
前記電池から電池残量を取得する電池残量取得部を前記電池残量検出部に代えて備えたことを特徴とするテレビ放送受信装置。
【請求項１１】
電池を電源としたテレビ放送受信装置であって、
テレビ放送信号を受信する受信部と、
前記受信部が受信したテレビ放送信号に含まれる番組の映像データおよび音声データを記録する録画部と、
録画する番組の開始時間、および終了時間を示す番組情報が複数設定される録画番組設定部と、
前記録画番組設定部に設定された各番組情報について、前記終了時間から前記開始時間を引き算した録画時間を算出する一方、前記録画番組設定部に設定された全番組情報についての前記録画時間を合計した合計録画時間を算出する録画時間算出部と、
前記受信部と前記録画部とが前記合計録画時間の動作をした場合に消費する合計消費電力量を算出する消費電力算出部と、
前記電池の電池残量を検出する電池残量検出部と、
前記合計消費電力量が、前記電池残量検出部の検出した電池残量よりも大きい場合に、前記電池の充電が必要である旨をユーザに通知する充電通知部と、
を備えたことを特徴とするテレビ放送受信装置。
【請求項１２】
電池を電源としたテレビ放送受信装置の消費電力管理方法であって、
前記テレビ放送受信装置は、
テレビ放送信号を受信する受信部と、
前記受信部が受信したテレビ放送信号に含まれる番組の映像データおよび音声データの復号化、および再生を行う再生部と、
視聴する番組の開始時間、および終了時間を示す番組情報が複数設定される視聴番組設定部と、
を備えたものであり、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出ステップと、
前記受信部と前記再生部とが前記合計視聴時間の動作をした場合に消費する合計消費電力量を算出する消費電力量算出ステップと、
前記電池の電池残量を検出する電池残量検出ステップと、
前記合計消費電力量が、前記電池残量検出ステップが検出した電池残量よりも大きい場合に、前記電池の充電が必要である旨をユーザに通知する充電通知ステップと、
を有することを特徴とするテレビ放送受信装置の消費電力管理方法。
【請求項１３】
請求項１２のテレビ放送受信装置の消費電力管理方法であって、
前記テレビ放送信号は、番組の開始時間、および終了時間を示す番組情報を含んだ信号であり、さらに、
前記受信部が受信したテレビ放送信号から前記番組情報を取得する番組情報取得ステップと、
前記番組情報の一覧を表示する電子番組表表示ステップと、
前記電子番組表表示ステップによって表示された番組情報のうちから選択された番組情報を前記視聴番組設定部に設定する番組情報選択ステップと、
を有することを特徴とするテレビ放送受信装置の消費電力管理方法。
【請求項１４】
請求項１３のテレビ放送受信装置の消費電力管理方法であって、
前記番組情報は、さらに番組の放送延長時間を示す情報を含むものであり、
前記視聴時間算出ステップは、前記視聴番組設定部に設定された全番組情報についての前記視聴時間の合計に、さらに前記放送延長時間を加算して前記合計視聴時間として算出することを特徴とするテレビ放送受信装置の消費電力管理方法。
【請求項１５】
請求項１２のテレビ放送受信装置の消費電力管理方法であって、
前記視聴時間算出ステップは、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出し、
前記消費電力量算出ステップは、前記受信部と前記再生部とが前記累積視聴時間の動作をした場合に消費する消費電力量を前記合計消費電力量として算出し、
前記充電通知ステップは、前記合計消費電力量が、前記電池残量検出ステップが検出した電池残量よりも大きい場合には、番組を視聴できない旨を通知することを特徴とするテレビ放送受信装置の消費電力管理方法。
【請求項１６】
請求項１２のテレビ放送受信装置の消費電力管理方法であって、
さらに、前記テレビ放送受信装置は、前記電池を電源とする携帯電話部を備え、
前記消費電力量算出ステップは、前記受信部と前記再生部とが前記合計視聴時間の動作をした場合に消費する消費電力量と、現在時刻から前記視聴番組設定部に設定された番組情報のうち最後に視聴される予定の番組に係る番組情報の終了時間までに、前記携帯電話部が待ち受け状態で動作する場合の消費電力量との合計を前記合計消費電力量として算出することを特徴とするテレビ放送受信装置の消費電力管理方法。
【請求項１７】
請求項１２のテレビ放送受信装置の消費電力管理方法であって、
前記テレビ放送受信装置は、さらに、
現在の時刻を計測するタイマ部と、
ユーザが指定した時刻を示す時刻情報を設定する時刻設定部とを備え、
前記消費電力量算出ステップは、前記タイマ部が計測した現在時刻と前記時刻設定部に設定された前記時刻情報とが一致した場合に、前記合計消費電力量を算出し、
前記充電通知ステップは、前記タイマ部が計測した現在時刻と前記時刻設定部に設定された前記時刻情報とが一致した場合に、前記通知を行うことを特徴とするテレビ放送受信装置の消費電力管理方法。
【請求項１８】
請求項１２のテレビ放送受信装置の消費電力管理方法であって、
前記テレビ放送受信装置は、さらに、
現在の位置情報を検出する位置情報検出部と、
ユーザが指定した位置を示す位置情報を設定する位置情報設定部とを備え、
前記消費電力量算出ステップは、前記位置情報検出部が検出した位置情報と前記位置情報設定部に設定された前記位置情報とが一致した場合に、前記合計消費電力量を算出し、
前記充電通知ステップは、前記位置情報検出部が検出した位置情報と前記位置情報設定部に設定された前記位置情報とが一致した場合に、前記通知を行うことを特徴とするテレビ放送受信装置の消費電力管理方法。
【発明の詳細な説明】
【技術分野】
【０００１】  本発明は、携帯テレビや携帯電話などの移動体に組み込まれ、電池により駆動されるテレビ放送受信装置、テレビ放送受信装置の制御装置、および前記テレビ放送受信装置の消費電力管理方法に関するものである。
【背景技術】
【０００２】  今後は、携帯テレビや携帯電話などの移動体端末向けの地上波デジタル放送が開始される予定がある。この移動体端末向けの地上波デジタル放送では、映像データや音声データ（以下、映像データおよび音声データの両者を合わせて音声映像データという。）の圧縮方式に、Ｈ２６４が使用される予定がある。【０００３】  前記Ｈ２６４のような圧縮方式によって圧縮された音声映像データの復号化の処理は、例えば携帯テレビにとっては負荷が大きな処理なので、消費電力量が大きい。このため、テレビ番組の視聴中に電池残量がなくなる場合があると考えられる。特に、携帯電話では、本来の通話機能やメール送受信機能以外に、デジタルカメラ、音楽再生、テレビ受信機能が追加されると、消費電力量の増加が顕著になり、携帯電話の通話中やテレビ番組の視聴中に電池残量が無くなる場合が多く発生すると考えられる。【０００４】  上記のような消費電力量の増加に対しては、例えば、ノート型パーソナルコンピュータ等の情報処理装置においては、前記情報処理装置が有する複数の機能手段ごとに優先度をつけておき、電池残量が減少した場合に、優先度が低い機能手段から停止し、優先度が高い機能手段にのみ電源供給することにより、消費電力を少なくするようにしたものがある（例えば、特許文献１を参照）。これにより、消費電力量が制御され、より長時間、データの処理をすることができる。【０００５】  また、デジタル放送受信システムにおいて、電池残量が減少した場合に、消費電力量が大きい音声映像データの再生手段および表示手段への電源供給を停止し、視聴中の番組を記録媒体に記録することにより、消費電力を少なくするようにしたものがある（例えば、特許文献２を参照）。
【特許文献１】特開２００１―３３１２４２号公報
【特許文献２】特開２００３―２８３９５８号公報
【発明の開示】
【発明が解決しようとする課題】
【０００６】  しかし、複数の機能手段のうちの優先度が低い機能手段を停止しても、データ処理の途中で電池残量がなくなる場合があるので、最後まで情報処理装置の動作が保証されるわけではない。【０００７】  また、視聴中の番組を記録媒体に記録する場合にも、番組の途中で電池残量がなくなる場合があるので、番組を最後まで記録することが保証されるわけではない。【０００８】  本発明は、前記の問題に着目してなされたものであり、電池により駆動されるテレビ放送受信装置において、番組の視聴中に電池残量がなくなることを防止できるようにすることを目的としている。
【課題を解決するための手段】
【０００９】  前記の課題を解決するため、本発明の第１の態様は、
電池を電源としたテレビ放送受信装置であって、
テレビ放送信号を受信する受信部と、
前記受信部が受信したテレビ放送信号に含まれる番組の映像データおよび音声データの復号化、および再生を行う再生部と、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記受信部と前記再生部とが前記合計視聴時間の動作をした場合に消費する合計消費電力量を算出する消費電力算出部と、
前記電池の電池残量を検出する電池残量検出部と、
前記合計消費電力量が、前記電池残量検出部が検出した電池残量よりも大きい場合に、前記電池の充電が必要である旨をユーザに通知する充電通知部と、
を備えたことを特徴とする。【００１０】  これにより、番組を視聴するのに必要だけ電池に残量がない場合には、予め充電が必要な旨がユーザに通知されるので、電池により駆動されるテレビ放送受信装置において、番組の視聴中に電池残量がなくなることを防止することが可能になる。【００１１】  また、本発明の第２の態様は、
第１の態様のテレビ放送受信装置であって、
前記テレビ放送信号は、番組の開始時間、および終了時間を示す番組情報を含んだ信号であり、
前記視聴番組設定部は、前記番組情報の一覧を表示するとともに、表示された番組情報のうちから選択された番組情報が設定されるように構成されていることを特徴とする。【００１２】  これにより、ユーザがより容易に視聴したい番組を設定することが可能になる。【００１３】  また、本発明の第３の態様は、
第２の態様のテレビ放送受信装置であって、
前記番組情報は、さらに番組の放送延長時間を示す情報を含むものであり、
前記視聴時間算出部は、前記視聴番組設定部に設定された全番組情報についての前記視聴時間の合計に、さらに前記放送延長時間を加算して前記合計視聴時間として算出するように構成されていることを特徴とする。【００１４】  これにより、番組の放送延長時間が合計視聴時間に加算されるので、例えばスポーツ実況中継などの延長の可能性がある番組でも、番組視聴中に電池残量が無くなることを防止することが可能になる。【００１５】  また、本発明の第４の態様は、
第１の態様のテレビ放送受信装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記受信部と前記再生部とが前記累積視聴時間の動作をした場合に消費する消費電力量を前記合計消費電力量として算出するように構成され、
前記充電通知部は、前記合計消費電力量が、前記電池残量検出部が検出した電池残量よりも大きい場合には、番組を視聴できない旨を通知するように構成されていることを特徴とする。【００１６】  これにより、選択された各番組に関して、前記累積視聴時間が算出されるので、ユーザは現在の電池残量でどの番組を視聴できるかを識別できる。したがって、電池残量が少ないために、選択した番組の全てを見ることができない場合には、視聴したい番組を絞って、選択し直すことが可能になる。【００１７】  また、本発明の第５の態様は、
第１の態様のテレビ放送受信装置であって、
さらに、前記電池を電源とする携帯電話部を備え、
前記消費電力算出部は、前記受信部と前記再生部とが前記合計視聴時間の動作をした場合に消費する消費電力量と、現在時刻から前記視聴番組設定部に設定された視聴する予定の番組に係る番組情報の終了時間までに、前記携帯電話部が待ち受け状態で動作する場合の消費電力量との合計を前記合計消費電力量として算出するように構成されていることを特徴とする。【００１８】  これにより、例えば携帯電話に本発明のテレビ放送受信装置が組み込まれた場合などにも、番組視聴中に電池残量が無くなることを防止することが可能になる。【００１９】  また、本発明の第６の態様は、
第１の態様のテレビ放送受信装置であって、さらに、
現在の時刻を計測するタイマ部と、
ユーザが指定した時刻を示す時刻情報を設定する時刻設定部とを備え、
前記消費電力算出部は、前記タイマ部が計測した現在時刻と前記時刻設定部に設定された前記時刻情報とが一致した場合に、前記合計消費電力量を算出するように構成され、
前記充電通知部は、前記タイマ部が計測した現在時刻と前記時刻設定部に設定された前記時刻情報とが一致した場合に、前記通知を行うように構成されていることを特徴とする。【００２０】  また、本発明の第７の態様は、
第１の態様のテレビ放送受信装置であって、さらに、
現在の位置情報を検出する位置情報検出部と、
ユーザが指定した位置を示す位置情報を設定する位置情報設定部とを備え、
前記消費電力算出部は、前記位置情報検出部が検出した位置情報と前記位置情報設定部に設定された前記位置情報とが一致した場合に、前記合計消費電力量を算出するように構成され、
前記充電通知部は、前記位置情報検出部が検出した位置情報と前記位置情報設定部に設定された前記位置情報とが一致した場合に、前記通知を行うように構成されていることを特徴とする。【００２１】  これらにより、ユーザが充電可能な時刻やユーザが充電可能な場所で、充電が必要な旨がユーザに通知されるので、充電忘れが防止され、電池により駆動されるテレビ放送受信装置において、番組の視聴中に電池残量がなくなることを防止することが可能になる。【００２２】  また、本発明の第８の態様は、
電池を電源としたテレビ放送受信装置の制御装置であって、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記合計視聴時間の番組視聴をした場合に消費する合計消費電力量を算出する消費電力算出部と、
前記電池の電池残量を検出する電池残量検出部と、
前記合計消費電力量が、前記電池残量取得部が取得した電池残量よりも大きい場合に、前記電池の充電が必要であると判定する充電判定部と、
を備えたことを特徴とする。【００２３】  これにより、番組を視聴するのに必要だけ電池に残量がない場合には、予め充電が必要であると判定されるので、電池により駆動されるテレビ放送受信装置において、番組の視聴中に電池残量がなくなることを防止することが可能になる。【００２４】  また、本発明の第９の態様は、
第８の態様のテレビ放送受信装置の制御装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記累積視聴時間の番組視聴をした場合に消費する消費電力量を前記合計消費電力量として算出するように構成され、
前記充電判定部は、前記合計消費電力量が、前記電池残量検出部が検出した電池残量よりも大きい場合には、番組を視聴できないと判定するように構成されていることを特徴とする。【００２５】  これにより、選択された各番組に関して、前記累積視聴時間が算出されるので、ユーザは現在の電池残量でどの番組を視聴できるかを判定できる。【００２６】  また、本発明の第１０の態様は、
第１の態様のテレビ放送受信装置であって、
前記電池は、電池残量を検出する機能を有したものであり、
前記電池から電池残量を取得する電池残量取得部を前記電池残量検出部に代えて備えたことを特徴とする。【００２７】  これにより、電池自体が電池残量を検出する機能を有したスマートバッテリなどが使用されるテレビ放送受信装置において、番組を視聴するのに必要だけ電池に残量がない場合には、予め充電が必要な旨がユーザに通知される。【００２８】  また、本発明の第１１の態様は、
電池を電源としたテレビ放送受信装置であって、
テレビ放送信号を受信する受信部と、
前記受信部が受信したテレビ放送信号に含まれる番組の映像データおよび音声データを記録する録画部と、
録画する番組の開始時間、および終了時間を示す番組情報が複数設定される録画番組設定部と、
前記録画番組設定部に設定された各番組情報について、前記終了時間から前記開始時間を引き算した録画時間を算出する一方、前記録画番組設定部に設定された全番組情報についての前記録画時間を合計した合計録画時間を算出する録画時間算出部と、
前記受信部と前記録画部とが前記合計録画時間の動作をした場合に消費する合計消費電力量を算出する消費電力算出部と、
前記電池の電池残量を検出する電池残量検出部と、
前記合計消費電力量が、前記電池残量検出部の検出した電池残量よりも大きい場合に、前記電池の充電が必要である旨をユーザに通知する充電通知部と、
を備えたことを特徴とする。【００２９】  これにより、番組を録画するのに必要だけ電池に残量がない場合には、予め充電が必要な旨がユーザに通知されるので、電池により駆動されるテレビ放送受信装置において、番組の録画中に電池残量がなくなることを防止することが可能になる。
【発明の効果】
【００３０】  本発明によれば、電池により駆動されるテレビ放送受信装置において、番組の視聴中に電池残量がなくなることを防止することが可能になる。
【図面の簡単な説明】
【００３１】
【図１】本発明の実施形態１に係るテレビ放送受信装置の構成を示すブロック図である。
【図２】本発明の実施形態１に係るテレビ放送受信装置で行われる消費電力管理の手順を示すフローチャートである。
【図３】視聴番組設定部に設定される番組情報、各番組の視聴時間、および消費電力の一例を示す表である。
【図４】本発明の実施形態１に係るテレビ放送受信装置における液晶ディスプレイの表示内容の一例を示す図である。
【図５】本発明の実施形態２に係るテレビ放送受信装置の構成を示すブロック図である。
【図６】本発明の実施形態２に係るテレビ放送受信装置で行われる消費電力管理の手順を示すフローチャートである。
【図７】本発明の実施形態２に係るテレビ放送受信装置における液晶ディスプレイの表示内容の一例を示す図である。
【図８】本発明の実施形態３に係るテレビ放送受信装置の構成を示すブロック図である。
【図９】本発明の実施形態３に係るテレビ放送受信装置で行われる消費電力管理の手順を示すフローチャートである。
【図１０】本発明の実施形態３に係るテレビ放送受信装置において視聴番組設定部に設定される番組情報、各番組の視聴時間、および消費電力等の一例を示す表である。
【図１１】本発明の実施形態４に係るテレビ放送受信装置の構成を示すブロック図である。
【図１２】本発明の実施形態４に係るテレビ放送受信装置で行われる消費電力管理の手順を示すフローチャートである。
【図１３】本発明の実施形態４に係るテレビ放送受信装置において視聴番組設定部に設定される番組情報、各番組の視聴時間、および消費電力等の一例を示す表である。
【図１４】本発明の実施形態４に係るテレビ放送受信装置における液晶ディスプレイの表示内容の一例を示す図である。
【図１５】本発明の実施形態４に係るテレビ放送受信装置における液晶ディスプレイの表示内容の別の一例を示す図である。
【図１６】本発明の実施形態５に係るテレビ放送受信装置の構成を示すブロック図である。
【図１７】本発明の実施形態５に係るテレビ放送受信装置で行われる消費電力管理の手順を示すフローチャートである。
【図１８】本発明の実施形態５に係るテレビ放送受信装置において視聴番組設定部に設定される番組情報、各番組の視聴時間、および消費電力等の一例を示す表である。
【図１９】本発明の実施形態６に係るテレビ放送受信装置の構成を示すブロック図である。
【図２０】本発明の実施形態７に係るテレビ放送受信装置の構成を示すブロック図である。
【図２１】本発明の実施形態８に係るテレビ放送受信装置の構成を示すブロック図である。
【図２２】本発明の実施形態８に係るテレビ放送受信装置で行われる消費電力管理の手順を示すフローチャートである。
【図２３】本発明の実施形態９に係るテレビ放送受信装置の構成を示すブロック図である。
【図２４】本発明の実施形態９に係るテレビ放送受信装置で行われる消費電力管理の手順を示すフローチャートである。
【符号の説明】
【００３２】    １００    テレビ放送受信装置
１０１    受信部
１０２    再生部
１０３    液晶ディスプレイ
１０４    キー入力部
１０５    視聴番組設定部
１０６    視聴時間算出部
１０７    消費電力算出部
１０８    電池
１０９    電池残量検出部
１１０    充電通知部
１１１    スピーカ
２００    テレビ放送受信装置
２０４    番組情報取得部
２０５    視聴番組設定部
３００    テレビ放送受信装置
３０４    番組情報取得部
３０４ａ  延長時間取得部
３０６    視聴時間算出部
４００    テレビ放送受信装置
４０６    視聴時間算出部
４０７    消費電力算出部
５００    テレビ放送受信装置
５０６    携帯電話部
５０７    消費電力算出部
６００    テレビ放送受信装置
６０１    警告タイミング管理部
６０１ａ  時刻設定部
６０１ｂ  タイマ部
６０７    消費電力算出部
６０９    電池残量検出部
６１０    充電通知部
７００    テレビ放送受信装置
７０１    警告タイミング管理部
７０１ａ  位置情報設定部
７０１ｂ  ＧＰＳ部
７０７    消費電力算出部
７０９    電池残量検出部
７１０    充電通知部
８００    テレビ放送受信装置
８０１    電池残量取得部
９００    テレビ放送受信装置
９０１    録画番組設定部
９０２    録画部
９０３    録画時間算出部
【発明を実施するための最良の形態】
【００３３】  以下、本発明の実施形態について図面を参照しながら説明する。【００３４】  《発明の実施形態１》
図１は、本発明の実施形態１に係るテレビ放送受信装置１００の構成を示すブロック図である。テレビ放送受信装置１００は、図１に示すように、受信部１０１、再生部１０２、液晶ディスプレイ１０３、キー入力部１０４、視聴番組設定部１０５、視聴時間算出部１０６、消費電力算出部１０７、電池１０８、電池残量検出部１０９、充電通知部１１０、およびスピーカ１１１を備えて構成されている。【００３５】  受信部１０１は、地上波デジタル放送を受信するようになっている。【００３６】  再生部１０２は、受信部１０１が受信した地上波デジタル放送のトランスポートストリームから選局した番組の映像データ、および音声データ（以下、映像データ、および音声データの両者を合わせて音声映像データという。）を抽出し、前記音声映像データを復号化して再生し、液晶ディスプレイ１０３に表示するようになっている。【００３７】  液晶ディスプレイ１０３は、前記再生部１０２が再生した音声映像データの表示、およびユーザが選択したチャンネル、電池残量などの番組情報を表示するようになっている。【００３８】  キー入力部１０４は、ユーザがキーを操作して入力した番組（視聴される番組）のチャンネル番号、開始時間、終了時間などの番組情報を視聴番組設定部１０５に出力するようになっている。【００３９】  視聴番組設定部１０５は、キー入力部１０４が出力した前記番組情報が視聴予定番組として設定される（保持する）とともに、液晶ディスプレイ１０３に出力するようになっている。【００４０】  視聴時間算出部１０６は、視聴番組設定部１０５に保持された各番組情報に関して、番組の終了時間から開始時間を引算して視聴時間を算出し、さらに選択された複数番組の視聴時間を合計して合計視聴時間を算出するようになっている。【００４１】  消費電力算出部１０７は、受信部１０１と再生部１０２とが前記合計視聴時間の動作をした場合に消費する消費電力量を算出するようになっている。【００４２】  電池１０８は、充電式の電池であり、テレビ放送受信装置１００の各部に電力を供給するようになっている。【００４３】  電池残量検出部１０９は、電池１０８の電池残量を検出するようになっている。【００４４】  充電通知部１１０は、消費電力量が電池残量より大きい場合に、充電が必要であることをユーザに通知するために、警告アラームをスピーカ１１１から出力するとともに、警告メッセージ（例えば、「充電が必要です」というメッセージ）を液晶ディスプレイ１０３に表示するようになっている。【００４５】  スピーカ１１１は、前記警告アラームを出力するようになっている。【００４６】  上記のように構成された、テレビ放送受信装置１００では、図２のフローチャートに示す処理が行われることによって、番組の視聴中に電池残量がなくなることが防止される。各ステップにおける処理は、以下のとおりである。【００４７】  （ステップＳ１０１）
ユーザがキー入力部１０４を操作して、視聴したい番組のチャンネル番号、開始時間、終了時間等の番組情報を入力すると、入力された番組情報は、視聴番組設定部１０５に設定される。視聴番組設定部１０５は、設定された前記番組情報を液晶ディスプレイ１０３に表示するとともに、視聴時間算出部１０６に出力する。例えば、図３に示すように、番組Ｐ１０１、Ｐ１０２が設定されている場合には、液晶ディスプレイ１０３の表示内容は、図４に示すようになる。【００４８】  （ステップＳ１０２）
視聴時間算出部１０６は、設定された各番組情報に関して、前記番組情報の終了時間から開始時間を引算して視聴時間を算出し、さらに選択された全番組の視聴時間を合計して合計視聴時間を算出する。例えば、前記のように番組Ｐ１０１とＰ１０２とが設定されている場合には、番組Ｐ１０１の視聴時間は１時間、番組Ｐ１０２の視聴時間は２時間と算出され、また、合計視聴時間は３時間と算出される。【００４９】  （ステップＳ１０３）
消費電力算出部１０７は、視聴時間算出部１０６で算出された合計視聴時間に基づいて、受信部１０１と再生部１０２とが前記合計視聴時間の動作をした場合に消費される消費電力量を算出する。例えば、受信部１０１と再生部１０２とが１時間動作した場合に、電池のフル充電量の２０％を消費するものとすると、合計視聴時間が３時間の場合の消費電力量は、フル充電量の６０％と算出される。【００５０】  （ステップＳ１０４）
一方、電池残量検出部１０９は、電池１０８の電池残量を検出する。ここでは、例えば、電池残量が５０％と検出されたとする。【００５１】  （ステップＳ１０５）
充電通知部１１０は、消費電力量が電池残量より大きい場合に、ステップＳ１０６の処理に移行し、消費電力量が電池残量より小さい場合には処理を終了する。ここで、上記の例では、算出された消費電力量６０％は、電池残量５０％よりも大きいので、ステップＳ１０６に移行する。【００５２】  （ステップＳ１０６）
充電通知部１１０は、充電が必要であることをユーザに通知する。具体的には、警告アラームがスピーカ１１１に出力されるとともに、「充電が必要です」というメッセージが液晶ディスプレイ１０３に表示される。【００５３】  上記のように、本実施形態によれば、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。【００５４】  《発明の実施形態２》
ユーザがより容易に視聴したい番組を設定することが可能な装置の例を説明する。【００５５】  図５は、本発明の実施形態２に係るテレビ放送受信装置２００の構成を示すブロック図である。テレビ放送受信装置２００は、図５に示すように、テレビ放送受信装置１００に番組情報取得部２０４をさらに加え、視聴番組設定部１０５に代えて視聴番組設定部２０５を備えて構成されている点が前記テレビ放送受信装置１００と相異している。なお、以下の各実施形態において、前記実施形態１等と同様の機能を有する構成要素については、同一の符号を付して説明を省略する。【００５６】  番組情報取得部２０４は、受信部１０１が受信した地上波デジタル放送のトランスポートストリームから番組名、開始時間、終了時間などの番組情報を取り出して、視聴番組設定部２０５に出力するようになっている。【００５７】  視聴番組設定部２０５は、前記番組情報から電子番組表を作成して液晶ディスプレイ１０３に表示するようになっている。【００５８】  また、視聴番組設定部２０５は、ユーザがキー入力部１０４を操作して、前記電子番組表の中から選択した番組（視聴したい番組）の番組情報が視聴予定番組として設定されるようになっている。【００５９】  上記のように構成された、テレビ放送受信装置２００では、図６のフローチャートに示す処理が行われることによって、番組の視聴中に電池残量がなくなることが防止される。各ステップにおける処理は、以下のとおりである。【００６０】  （ステップＳ２０１）
番組情報取得部２０４は、受信部１０１が受信した地上波デジタル放送のトランスポートストリームから番組情報を取り出して、視聴番組設定部２０５に出力する。【００６１】  （ステップＳ２０２）
視聴番組設定部２０５は、番組情報から電子番組表を作成して液晶ディスプレイ１０３に表示する。次に、ユーザがキー入力部１０４を操作して、電子番組表の中から視聴したい番組を選択すると、ユーザが選択した番組を視聴予定番組として設定される。ここで、液晶ディスプレイ１０３に表示された電子番組表で視聴したい番組を選択した場合の様子の一例を図７に示す。この例では、番組Ｐ１０１のニュースと番組Ｐ１０２の野球とが選択されている。本装置では、選択された番組は、番組が選択されたことを示すために、番組の周囲の枠線が２重線で表示されている。【００６２】  （ステップＳ２０３〜２０７）
ステップＳ２０３〜２０７における処理は、それぞれ前記実施形態１のステップＳ１０２〜Ｓ１０６における処理と同じ処理である。【００６３】  したがって、本実施形態においても、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。【００６４】  しかも、ユーザは、表示された電子番組表から視聴したい番組を選択すればよいので、より容易に視聴予定番組を設定することが可能になる。【００６５】  なお、本実施形態では、電子番組表で選択された番組が２重線の枠線で囲まれて表示される例を説明したが、選択された番組と非選択の番組との識別には、例えば番組の枠内の色を変えて表示する等、種々の方法が適用できる。【００６６】  また、受信した地上波デジタル放送のトランスポートストリームから番組情報を取得する例を説明したが、例えば、本装置が携帯電話に組み込まれた場合には、携帯電話の通信機能を用い、インターネットなどから番組情報を取得するようにしてもよい。【００６７】  《発明の実施形態３》
放送時間が延長される可能性のある番組を視聴する場合でも、番組視聴中に電池残量が無くなることを防止することが可能になる装置の例を説明する。【００６８】  図８は、本発明の実施形態３に係るテレビ放送受信装置３００の構成を示すブロック図である。テレビ放送受信装置３００は、実施形態２のテレビ放送受信装置２００と比べ、番組情報取得部２０４に代えて番組情報取得部３０４を備え、視聴時間算出部１０６に代えて視聴時間算出部３０６を備えて構成されている点が異なっている。【００６９】  番組情報取得部３０４は、受信部１０１が受信した地上波デジタル放送のトランスポートストリームから番組の放送延長時間の番組情報を取り出す延長時間取得部３０４ａを備えて構成されている。番組情報取得部３０４は、受信部１０１が受信した地上波デジタル放送のトランスポートストリームから取り出した番組名、開始時間、終了時間などの番組情報、および延長時間取得部３０４ａで取り出した放送延長時間の番組情報を視聴番組設定部２０５に出力するようになっている。【００７０】  視聴時間算出部３０６は、視聴番組設定部２０５に設定された各番組に関して、番組情報の終了時間から開始時間を引算した後、前記放送延長時間を加算して、視聴時間を算出し、さらに選択された全番組の視聴時間を合計して合計視聴時間を算出するようになっている。【００７１】  上記のように構成された、テレビ放送受信装置３００では、図９のフローチャートに示す処理が行われることによって、番組の視聴中に電池残量がなくなることが防止される。各ステップにおける処理は、以下のとおりである。【００７２】  （ステップＳ３０１）
番組情報取得部３０４は、受信した地上波デジタル放送のトランスポートストリームから番組名、開始時間、終了時間などの番組情報を取り出す。また、延長時間取得部３０４ａは、前記トランスポートストリームから番組の放送延長時間の番組情報を取り出す。【００７３】  （ステップＳ３０２）
視聴番組設定部２０５は、番組情報から電子番組表を作成して液晶ディスプレイ１０３に表示する。次に、ユーザがキー入力部１０４を操作して、電子番組表の中から視聴したい番組を選択すると、ユーザが選択した番組を視聴予定番組として設定される。ここでは、図１０の表に示す番組Ｐ１０１、Ｐ１０２が設定されたものとして以下の説明を行う。【００７４】  （ステップＳ３０３）
視聴時間算出部３０６は、選択された各番組に関して、番組情報の終了時間から開始時間を引算した後、放送延長時間を加算して、視聴時間を算出し、さらに選択された全番組の視聴時間を合計して合計視聴時間を算出する。図１０の表に示した例では、番組Ｐ１０１の視聴時間は１時間、番組Ｐ１０２の視聴時間は２時間、放送延長時間が０．５時間なので、合計視聴時間は３．５時間と算出される。【００７５】  （ステップＳ３０４）
消費電力算出部１０７は、受信部１０１と再生部１０２とが合計視聴時間の動作をした場合に消費される消費電力量を算出する。ここで、受信部１０１と再生部１０２とが１時間動作した場合に電池のフル充電量の２０％を消費するものとすると、合計視聴時間３．５時間の消費電力量は７０％と算出される。【００７６】  （ステップＳ３０５〜３０７）
ステップＳ３０５〜３０７における処理は、それぞれ前記実施形態１のステップＳ１０４〜Ｓ１０６における処理と同じ処理である。【００７７】  したがって、本実施形態においても、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。【００７８】  しかも、延長時間取得部３０４ａが取得した番組の放送延長時間が合計視聴時間に加算されるので、例えばスポーツ実況中継などの延長の可能性がある番組でも、番組視聴中に電池残量が無くなることを防止することが可能になる。【００７９】  《発明の実施形態４》
図１１は、本発明の実施形態４に係るテレビ放送受信装置４００の構成を示すブロック図である。テレビ放送受信装置４００は、図１１に示すように、実施形態１のテレビ放送受信装置１００と比べ、視聴時間算出部１０６に代えて視聴時間算出部４０６を備え、消費電力算出部１０７に代えて消費電力算出部４０７を備えて構成されている点が異なっている。【００８０】  視聴時間算出部４０６は、視聴番組設定部１０５に設定されたそれぞれの番組について、番組情報の終了時間から開始時間を引算して視聴時間を算出し、さらにその番組とその番組よりも開始時間が早い番組の視聴時間を合計した累積視聴時間を算出するようになっている。【００８１】  消費電力算出部４０７は、受信部１０１と再生部１０２とが前記累積視聴時間の動作をして消費する消費電力量を算出するようになっている。【００８２】  上記のように構成された、テレビ放送受信装置４００では、図１２のフローチャートに示す処理が行われることによって、番組の視聴中に電池残量がなくなることが防止される。各ステップにおける処理は、以下のとおりである。【００８３】  （ステップＳ４０１）
ユーザがキー入力部１０４を操作して、視聴したい番組のチャンネル番号、開始時間、終了時間等の番組情報を入力すると、入力された番組情報は、視聴番組設定部１０５に設定される。視聴番組設定部１０５は、設定された前記番組情報を液晶ディスプレイ１０３に表示するとともに、視聴時間算出部４０６に出力する。【００８４】  （ステップＳ４０２）
視聴番組設定部１０５に設定されたそれぞれの番組について、番組情報の終了時間から開始時間を引算して視聴時間を算出し、さらにその番組とその番組よりも開始時間が早い番組の視聴時間を合計した累積視聴時間を算出する。図１３の表に示した例では、番組Ｐ１０１の累積視聴時間は１時間、番組Ｐ１０２の累積視聴時間は、番組Ｐ１０１とＰ１０２の視聴時間を合計して３時間と算出される。【００８５】  （ステップＳ４０３）
消費電力算出部４０７は、受信部１０１と再生部１０２が累積視聴時間の動作をした場合に消費される累積消費電力量を算出する。ここで、受信部１０１と再生部１０２とが１時間動作した場合に電池のフル充電量の２０％を消費するものとすると、番組Ｐ１０１の累積消費電力量は２０％、番組Ｐ１０２の累積消費電力量は６０％と算出される。【００８６】  （ステップＳ４０４）
一方、電池残量検出部１０９は、電池１０８の電池残量を検出する。ここでは、例えば、電池残量が５０％と検出されたとする。【００８７】  以下、視聴番組設定部１０５に設定されている各番組について、ステップ４０５〜４０７の処理が行われる。【００８８】  （ステップＳ４０５）
充電通知部１１０は、各番組に対応した累積消費電力量が電池残量より大きい場合には、ステップＳ４０６の処理に移行し、累積消費電力量が電池残量より小さい場合には、ステップＳ４０７の処理に移行する。【００８９】  （ステップＳ４０６）
充電通知部１１０は、番組が視聴できない旨を液晶ディスプレイ１０３表示する。例えば、番組Ｐ１０２の累積消費電力量は６０％で、電池残量の５０％よりも大きいため、視聴できない旨が表示される。
〔ステップＳ１０７〕
視聴番組設定部１０５は、番組が視聴できる旨を液晶ディスプレイ１０３表示する。例えば、番組Ｐ１０１の累積消費電力量は２０％で、電池残量は５０％より小さいため、視聴できる旨が表示される。【００９０】  図１４は、例えば、テレビ放送受信装置１００のように、番組情報として開示時刻、終了時刻、およびチャンネルを表示する装置に各番組の視聴可否が表示された例である。また、図１５は、テレビ放送受信装置２００のように、番組情報として開示時刻、番組名、およびチャンネルを表示する装置に各番組の視聴可否が表示された例である。これらの例では、番組Ｐ１０１が視聴できることを示すために番組表示枠の右端に○印が表示され、番組Ｐ１０２が視聴できないことを示すために×印が表示されている。【００９１】  上記のように、本実施形態では、選択された各番組に関して、前記累積視聴時間が算出されるので、ユーザは現在の電池残量でどの番組を視聴できるかを識別できる。したがって、電池残量が少ないために、選択した番組の全てを見ることができない場合には、視聴したい番組を絞って、選択し直すことが可能になる。【００９２】  なお、上記で説明した視聴可否を識別する方法（○×表示による識別）は、例示であり、例えば、液晶ディスプレイ１０３に表示された番組の枠内の色を変えて視聴可否を識別する方法などを採用してもよい。【００９３】  《発明の実施形態５》
テレビ放送受信装置と携帯電話とが組み合わされた例を説明する。【００９４】  図１６は、本発明の実施形態５に係るテレビ放送受信装置５００の構成を示すブロック図である。テレビ放送受信装置５００は、図１６に示すように、実施形態１のテレビ放送受信装置１００と比べ、さらに携帯電話部５０６を備え、消費電力算出部１０７に代えて消費電力算出部５０７を備えて構成されている点が異なっている。【００９５】  携帯電話部５０６は、電源電圧が電池１０８から供給されるようになっている。また、携帯電話部５０６からは、携帯電話部５０６の消費電力を算出するための情報が消費電力算出部５０７に出力されるようになっている。【００９６】  消費電力算出部５０７は、受信部１０１と再生部１０２とが合計視聴時間の動作をした場合に消費される消費電力量と、携帯電話部５０６が現在時刻から視聴予定の番組の終了時間まで待ち受け状態で動作した場合に消費される消費電力量の合計を算出するようになっている。【００９７】  上記のように構成された、テレビ放送受信装置５００では、図１７のフローチャートに示す処理が行われることによって、番組の視聴中に電池残量がなくなることが防止される。各ステップにおける処理は、以下のとおりである。【００９８】  （ステップＳ５０１〜５０２）
ステップＳ５０１〜５０２における処理は、それぞれ前記実施形態１のステップＳ１０１〜Ｓ１０２における処理と同じ処理である。【００９９】  したがって、これらの処理により、ユーザが入力した前記番組情報が液晶ディスプレイ１０３に表示される一方、選択された各番組の視聴時間が算出され、さらに合計視聴時間を算出される（図１８を参照）。【０１００】  （ステップＳ５０３）
消費電力算出部５０７は、受信部１０１と再生部１０２とが合計視聴時間動作して消費する消費電力量と、携帯電話部５０６が現在時刻から前記番組の終了時間までに待ち受け状態で動作して消費する消費電力量の合計を算出する。【０１０１】  受信部１０１と再生部１０２とが１時間動作した場合に、電池のフル充電量の２０％を消費するものとすると、図１８の表の例では、番組Ｐ１０１の消費電力量は２０％、番組Ｐ１０２の消費電力量は４０％、携帯電話部５０６の消費電力量は１０％と算出され、合計の消費電力量は７０％と算出される。【０１０２】  （ステップＳ５０４）
一方、電池残量検出部１０９は、電池１０８の電池残量を検出する。ここでは、例えば、電池残量が６０％と検出されたとする。【０１０３】  （ステップＳ５０５）
充電通知部１１０は、消費電力量が電池残量より大きい場合に、ステップＳ５０６の処理に移行し、消費電力量が電池残量より小さい場合には処理を終了する。ここで、上記の例では、算出された消費電力量７０％は、電池残量６０％よりも大きいので、ステップＳ５０６に移行する。【０１０４】  （ステップＳ５０６）
充電通知部１１０は、充電が必要であることをユーザに通知する。具体的には、警告アラームがスピーカ１１１に出力されるとともに、「充電が必要です」というメッセージが液晶ディスプレイ１０３に表示される。【０１０５】  上記のように、本実施形態によれば、受信部１０１と再生部１０２とが動作して消費される消費電力量と携帯電話部５０６が動作して消費される消費電力量の合計消費電力量が算出され、電池残量が算出された消費電力量に満たない場合には、充電が必要である旨がユーザに通知されるので、番組視聴中に電池残量が無くなることを防止することが可能になる。【０１０６】  《発明の実施形態６》
図１９は、本発明の実施形態６に係るテレビ放送受信装置６００の構成を示すブロック図である。テレビ放送受信装置６００は、図１９に示すように、テレビ放送受信装置１００に警告タイミング管理部６０１をさらに加え、消費電力算出部１０７に代えて消費電力算出部６０７、電池残量検出部１０９に代えて電池残量検出部６０９、充電通知部１１０に代えて充電通知部６１０を備えて構成されている点が前記テレビ放送受信装置１００と相異している。【０１０７】  警告タイミング管理部６０１は、時刻設定部６０１ａとタイマ部６０１ｂとを備えて構成されている。【０１０８】  時刻設定部６０１ａは、ユーザが充電可能である時間帯の時刻が設定されるようになっている。【０１０９】  タイマ部６０１ｂは、現在時刻と時刻設定部６０１ａに設定されている時刻とが一致した場合に、現在時刻と時刻設定部６０１ａに設定されている時刻とが一致したことを示す時刻一致信号を出力するようになっている。【０１１０】  消費電力算出部６０７は、タイマ部６０１ｂが前記時刻一致信号を出力した際に、受信部１０１と再生部１０２とが前記合計視聴時間の動作をした場合に消費する消費電力量を算出するようになっている。【０１１１】  電池残量検出部６０９は、タイマ部６０１ｂが前記時刻一致信号を出力した際に、電池１０８の電池残量を検出するようになっている。【０１１２】  充電通知部６１０は、タイマ部６０１ｂが前記時刻一致信号を出力した際に、消費電力量が電池残量より大きければ、充電が必要であることをユーザに通知するために、警告アラームをスピーカ１１１から出力するとともに、警告メッセージを液晶ディスプレイ１０３に表示するようになっている。【０１１３】  上記のように構成されたテレビ放送受信装置６００では、現在時刻と時刻設定部６０１ａに設定されている時刻が一致した場合に、消費電力算出部６０７で、必要な消費電力量が算出され、電池残量検出部６０９で電池残量が検出される。そして、消費電力算出部６０７で算出された消費電力量が電池残量より大きい場合に、充電通知部６１０で充電が必要である旨がユーザに通知される。【０１１４】  例えば、テレビ放送受信装置を使用中に、充電通知部６１０が、充電が必要である旨を通知しても、ユーザが外出中であるなどの理由で充電できない状況の場合には、帰宅した時点で充電する必要がある。しかし、帰宅した時点では、充電することを忘れてしまい、番組視聴中に電池残量が無くなるという問題点がある。【０１１５】  これに対し、テレビ放送受信装置６００では、ユーザの帰宅時間を時刻設定部６０１ａに設定しておくと、ユーザが設定した帰宅時間に充電通知部６１０によって、充電が必要である旨がユーザに通知されるので、充電忘れを防止することが可能になる。【０１１６】  なお、時刻設定部６０１ａに帰宅時間を設定する例を説明したが、ユーザが充電可能である時間帯ならば、その他の時間を設定するようにしてもよい。【０１１７】  《発明の実施形態７》
図２０は、本発明の実施形態７に係るテレビ放送受信装置７００の構成を示すブロック図である。テレビ放送受信装置７００は、図２０に示すように、テレビ放送受信装置１００に警告タイミング管理部６０１をさらに加え、消費電力算出部１０７に代えて消費電力算出部７０７、電池残量検出部１０９に代えて電池残量検出部７０９、充電通知部１１０に代えて充電通知部７１０を備えて構成されている点が前記テレビ放送受信装置１００と相異している。【０１１８】  警告タイミング管理部７０１は、位置情報設定部７０１ａとＧＰＳ部７０１ｂ（ＧＰＳ：Ｇｌｏｂａｌ  Ｐｏｓｉｔｉｏｎｉｎｇ  Ｓｙｓｔｅｍ）とを備えて構成されている。【０１１９】  位置情報設定部７０１ａは、ユーザが充電可能である位置情報（例えば自宅の位置情報）が設定されるようになっている。【０１２０】  ＧＰＳ部７０１ｂは、現在のテレビ放送受信装置７００の位置情報を検出し、検出した位置情報と位置情報設定部７０１ａに設定された位置情報とが一致した場合に、検出した位置情報と位置情報設定部７０１ａに設定された位置情報とが一致したことを示す位置情報一致信号を出力するようになっている。【０１２１】  消費電力算出部７０７は、ＧＰＳ部７０１ｂが前記位置情報一致信号を出力した際に、受信部１０１と再生部１０２とが前記合計視聴時間の動作をした場合に消費する消費電力量を算出するようになっている。【０１２２】  電池残量検出部７０９は、ＧＰＳ部７０１ｂが前記位置情報一致信号を出力した際に、電池１０８の電池残量を検出するようになっている。【０１２３】  充電通知部７１０は、ＧＰＳ部７０１ｂが前記位置情報一致信号を出力した際に、消費電力量が電池残量より大きければ、充電が必要であることをユーザに通知するために、警告アラームをスピーカ１１１から出力するとともに、警告メッセージを液晶ディスプレイ１０３に表示するようになっている。【０１２４】  上記のように構成されたテレビ放送受信装置７００では、位置情報設定部７０１ａに設定されている位置情報とＧＰＳ部７０１ｂで検出されたテレビ放送受信装置７００の現在の位置情報とが一致した場合に、消費電力算出部７０７で、必要な消費電力量が算出され、電池残量検出部７０９で電池残量が検出される。そして、消費電力算出部７０７で算出された消費電力量が電池残量より大きい場合に、充電通知部７１０によって、液晶ディスプレイ１０３やスピーカ１１１を介して、充電が必要である旨がユーザに通知される。【０１２５】  例えば、テレビ放送受信装置を使用中に、充電通知部７１０が、充電が必要である旨を通知しても、ユーザが外出中であるなどの理由で充電できない状況の場合には、帰宅した時点で充電する必要がある。しかし、帰宅した時点では、充電することを忘れてしまい、番組視聴中に電池残量が無くなるという問題点がある。【０１２６】  これに対し、テレビ放送受信装置７００では、ユーザの自宅の位置情報を位置情報設定部７０１ａに設定しておくと、ユーザが帰宅した際に、充電通知部７１０によって充電が必要である旨がユーザに通知されるので、充電忘れを防止することが可能になる。【０１２７】  なお、位置情報設定部７０１ａに自宅の位置情報を設定する例を説明したが、ユーザが充電可能である場所ならば、その他の場所を設定するようにしてもよい。【０１２８】  《発明の実施形態８》
電池自体が電池残量を検出する機能を有したスマートバッテリなどを使用し、電池残量を電池から取得する装置の例を説明する。【０１２９】  図２１は、本発明の実施形態８に係るテレビ放送受信装置８００の構成を示すブロック図である。テレビ放送受信装置８００は、図２１に示すように、テレビ放送受信装置１００の電池残量検出部１０９に代えて電池残量取得部８０１を備えている点、および電池１０８が電池残量を検出する機能を有している点がテレビ放送受信装置１００と相異している。この電池残量取得部８０１は、電池１０８が検出した電池残量を取得するようになっている。【０１３０】  上記のテレビ放送受信装置８００では、図２２のフローチャートに示す処理が行われることによって、番組の視聴中に電池残量がなくなることが防止される。各ステップにおける処理は、以下のとおりである。【０１３１】  （ステップＳ８０１）
ユーザがキー入力部１０４を操作して、視聴したい番組のチャンネル番号、開始時間、終了時間等の番組情報を入力すると、入力された番組情報は、視聴番組設定部１０５に設定される。視聴番組設定部１０５は、設定された前記番組情報を液晶ディスプレイ１０３に表示するとともに、視聴時間算出部１０６に出力する。【０１３２】  （ステップＳ８０２）
視聴時間算出部１０６は、設定された各番組情報に関して、前記番組情報の終了時間から開始時間を引算して視聴時間を算出し、さらに選択された全番組の視聴時間を合計して合計視聴時間を算出する。【０１３３】  （ステップＳ８０３）
消費電力算出部１０７は、視聴時間算出部１０６で算出された合計視聴時間に基づいて、受信部１０１と再生部１０２とが前記合計視聴時間の動作をした場合に消費される消費電力量を算出する。【０１３４】  （ステップＳ８０４）
電池残量取得部８０１は、電池１０８から電池残量を取得する。【０１３５】  （ステップＳ８０５）
充電通知部１１０は、消費電力量が電池残量より大きい場合に、ステップＳ８０６の処理に移行し、消費電力量が電池残量より小さい場合には処理を終了する。【０１３６】  （ステップＳ８０６）
充電通知部１１０は、充電が必要であることをユーザに通知する。【０１３７】  上記のように、本実施形態によれば、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。【０１３８】  《発明の実施形態９》
予約番組を録画する場合でも、録画中に電池残量が無くなることを防止することが可能になる装置の例を説明する。【０１３９】  図２３は、本発明の実施形態９に係るテレビ放送受信装置９００の構成を示すブロック図である。テレビ放送受信装置９００は、図２３に示すように、テレビ放送受信装置１００の視聴番組設定部１０５を録画番組設定部９０１に置き換え、再生部１０２を録画部９０２に置き換え、視聴時間算出部１０６を録画時間算出部９０３に置き換えて構成されている。【０１４０】  録画番組設定部９０１は、ユーザがキー入力部１０４を操作して入力した、録画予約したい番組のチャンネル番号、開始時間、終了時間などが設定される（保持する）ようになっている。【０１４１】  録画部９０２は、録画番組設定部９０１に設定した番組の開始時間になると、受信部１０１が選局した番組（録画予約した番組）を記録するようになっている。【０１４２】  録画時間算出部９０３は、録画番組設定部９０１に保持された各番組情報に関して、番組の終了時間から開始時間を引算して録画時間を算出し、さらに選択された複数番組の録画時間を合計して合計録画時間を算出するようになっている。【０１４３】  上記のテレビ放送受信装置９００では、図２４のフローチャートに示す処理が行われることによって、予約番組の録画中に電池残量がなくなることが防止される。各ステップにおける処理は、以下のとおりである。【０１４４】  （ステップＳ９０１）
ユーザがキー入力部１０４を操作して、録画したい番組のチャンネル番号、開始時間、終了時間等の番組情報を入力すると、入力された番組情報は、録画番組設定部９０１に設定される。録画番組設定部９０１は、設定された前記番組情報を液晶ディスプレイ１０３に表示するとともに、録画時間算出部９０３に出力する。【０１４５】  （ステップＳ９０２）
録画時間算出部９０３は、設定された各番組情報に関して、前記番組情報の終了時間から開始時間を引算して録画時間を算出し、さらに選択された全番組の録画時間を合計して合計録画時間を算出する。【０１４６】  （ステップＳ９０３）
消費電力算出部１０７は、録画時間算出部９０３で算出された合計録画時間に基づいて、受信部１０１と録画部９０２とが前記合計録画時間の動作をした場合に消費される消費電力量を算出する。【０１４７】  （ステップＳ９０４）
電池残量検出部１０９は、電池１０８の電池残量を検出する。【０１４８】  （ステップＳ９０５）
充電通知部１１０は、消費電力量が電池残量より大きい場合に、ステップＳ１０６の処理に移行し、消費電力量が電池残量より小さい場合には処理を終了する。【０１４９】  （ステップＳ９０６）
充電通知部１１０は、充電が必要であることをユーザに通知する。【０１５０】  上記のように、本実施形態によれば、ユーザが録画したい番組として設定した番組の合計録画時間に基づいて、受信部１０１と録画部９０２とで消費される消費電力量が算出され、電池残量が算出された消費電力量に満たない場合には、充電が必要である旨がユーザに通知されるので、番組録画中に電池残量が無くなることを防止することが可能になる。【０１５１】  なお、本発明の一態様としては、上記の受信部１０１、再生部１０２、液晶ディスプレイ１０３、およびスピーカ１１１を含まないテレビ放送受信装置用制御装置として構成することも可能である。この場合は、例えば充電通知部１１０は、液晶ディスプレイ１０３やスピーカ１１１に出力する機能を省略し、消費電力量が電池残量より大きいか否かを判定する部分（充電判定部）のみを含んだ構成にし、判定結果を外部に出力するようにすればよい。【０１５２】  また、上記の各実施形態では、デジタル地上波放送を受信するテレビ放送受信装置の例を説明したが、例えば地上波アナログ放送を受信するテレビ放送受信装置に、これらの実施形態を適用してもよい。【０１５３】  また、音声映像データを含むテレビ放送の番組だけでなく、プログラムやデータ等を含むデータ放送の番組を視聴する場合にもこれらの実施形態を適用してもよい。
【産業上の利用可能性】
【０１５４】  本発明に係るテレビ放送受信装置、テレビ放送受信装置の制御装置、およびテレビ放送受信装置の消費電力管理方法は、電池により駆動されるテレビ放送受信装置において、番組の視聴中に電池残量がなくなることを防止することが可能になるという効果を有し、携帯テレビや携帯電話などの移動体に組み込まれて、電池により駆動されるテレビ放送受信装置、前記テレビ放送受信装置の制御装置、および前記テレビ放送受信装置の消費電力管理方法等として有用である。
【図１】
2006129443.tif 000002
【図２】
2006129443.tif 000003
【図３】
2006129443.tif 000004
【図４】
2006129443.tif 000005
【図５】
2006129443.tif 000006
【図６】
2006129443.tif 000007
【図７】
2006129443.tif 000008
【図８】
2006129443.tif 000009
【図９】
2006129443.tif 000010
【図１０】
2006129443.tif 000011
【図１１】
2006129443.tif 000012
【図１２】
2006129443.tif 000013
【図１３】
2006129443.tif 000014
【図１４】
2006129443.tif 000015
【図１５】
2006129443.tif 000016
【図１６】
2006129443.tif 000017
【図１７】
2006129443.tif 000018
【図１８】
2006129443.tif 000019
【図１９】
2006129443.tif 000020
【図２０】
2006129443.tif 000021
【図２１】
2006129443.tif 000022
【図２２】
2006129443.tif 000023
【図２３】
2006129443.tif 000024
【図２４】
2006129443.tif 000025
【手続補正書】
【提出日】平成19年3月10日(2007.3.10)
【手続補正１】
【補正対象書類名】特許請求の範囲
【補正対象項目名】全文
【補正方法】変更
【補正の内容】
【特許請求の範囲】
【請求項１】
電池を電源としたテレビ放送受信装置であって、
テレビ放送信号を受信する受信部と、
前記受信部が受信したテレビ放送信号に含まれる番組の映像データおよび音声データの復号化、および再生を行う再生部と、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記受信部と前記再生部とが前記合計視聴時間の動作をした場合に消費する合計消費電力量を算出する消費電力算出部と、
前記電池の電池残量を検出する電池残量検出部と、
前記合計消費電力量が、前記電池残量検出部が検出した電池残量よりも大きい場合に、前記電池の充電が必要である旨をユーザに通知する充電通知部と、
を備えたことを特徴とするテレビ放送受信装置。
【請求項２】
請求項１のテレビ放送受信装置であって、
前記テレビ放送信号は、番組の開始時間、および終了時間を示す番組情報を含んだ信号であり、
前記視聴番組設定部は、前記番組情報の一覧を表示するとともに、表示された番組情報のうちから選択された番組情報が設定されるように構成されていることを特徴とするテレビ放送受信装置。
【請求項３】
請求項２のテレビ放送受信装置であって、
前記番組情報は、さらに番組の放送延長時間を示す情報を含むものであり、
前記視聴時間算出部は、前記視聴番組設定部に設定された全番組情報についての前記視聴時間の合計に、さらに前記放送延長時間を加算して前記合計視聴時間として算出するように構成されていることを特徴とするテレビ放送受信装置。
【請求項４】
請求項１のテレビ放送受信装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記受信部と前記再生部とが前記累積視聴時間の動作をした場合に消費する消費電力量を前記合計消費電力量として算出するように構成され、
前記充電通知部は、前記合計消費電力量が、前記電池残量検出部が検出した電池残量よりも大きい場合には、番組を視聴できない旨を通知するように構成されていることを特徴とするテレビ放送受信装置。
【請求項５】
請求項１のテレビ放送受信装置であって、
さらに、前記電池を電源とする携帯電話部を備え、
前記消費電力算出部は、前記受信部と前記再生部とが前記合計視聴時間の動作をした場合に消費する消費電力量と、現在時刻から前記視聴番組設定部に設定された視聴する予定の番組に係る番組情報の終了時間までに、前記携帯電話部が待ち受け状態で動作する場合の消費電力量との合計を前記合計消費電力量として算出するように構成されていることを特徴とするテレビ放送受信装置。
【請求項６】
請求項１のテレビ放送受信装置であって、さらに、
現在の時刻を計測するタイマ部と、
ユーザが指定した時刻を示す時刻情報を設定する時刻設定部とを備え、
前記消費電力算出部は、前記タイマ部が計測した現在時刻と前記時刻設定部に設定された前記時刻情報とが一致した場合に、前記合計消費電力量を算出するように構成され、
前記充電通知部は、前記タイマ部が計測した現在時刻と前記時刻設定部に設定された前記時刻情報とが一致した場合に、前記通知を行うように構成されていることを特徴とするテレビ放送受信装置。
【請求項７】
請求項１のテレビ放送受信装置であって、さらに、
現在の位置情報を検出する位置情報検出部と、
ユーザが指定した位置を示す位置情報を設定する位置情報設定部とを備え、
前記消費電力算出部は、前記位置情報検出部が検出した位置情報と前記位置情報設定部に設定された前記位置情報とが一致した場合に、前記合計消費電力量を算出するように構成され、
前記充電通知部は、前記位置情報検出部が検出した位置情報と前記位置情報設定部に設定された前記位置情報とが一致した場合に、前記通知を行うように構成されていることを特徴とするテレビ放送受信装置。
【請求項８】
電池を電源としたテレビ放送受信装置の制御装置であって、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記合計視聴時間の番組視聴をした場合に消費する合計消費電力量を算出する消費電力算出部と、
前記電池の電池残量を検出する電池残量検出部と、
前記合計消費電力量が、前記電池残量取得部が取得した電池残量よりも大きい場合に、前記電池の充電が必要であると判定する充電判定部と、
を備えたことを特徴とするテレビ放送受信装置の制御装置。
【請求項９】
請求項８のテレビ放送受信装置の制御装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記累積視聴時間の番組視聴をした場合に消費する消費電力量を前記合計消費電力量として算出するように構成され、
前記充電判定部は、前記合計消費電力量が、前記電池残量検出部が検出した電池残量よりも大きい場合には、番組を視聴できないと判定するように構成されていることを特徴とするテレビ放送受信装置の制御装置。
【請求項１０】
請求項１のテレビ放送受信装置であって、
前記電池は、電池残量を検出する機能を有したものであり、
前記電池から電池残量を取得する電池残量取得部を前記電池残量検出部に代えて備えたことを特徴とするテレビ放送受信装置。
【請求項１１】
電池を電源としたテレビ放送受信装置であって、
テレビ放送信号を受信する受信部と、
前記受信部が受信したテレビ放送信号に含まれる番組の映像データおよび音声データを記録する録画部と、
録画する番組の開始時間、および終了時間を示す番組情報が複数設定される録画番組設定部と、
前記録画番組設定部に設定された各番組情報について、前記終了時間から前記開始時間を引き算した録画時間を算出する一方、前記録画番組設定部に設定された全番組情報についての前記録画時間を合計した合計録画時間を算出する録画時間算出部と、
前記受信部と前記録画部とが前記合計録画時間の動作をした場合に消費する合計消費電力量を算出する消費電力算出部と、
前記電池の電池残量を検出する電池残量検出部と、
前記合計消費電力量が、前記電池残量検出部の検出した電池残量よりも大きい場合に、前記電池の充電が必要である旨をユーザに通知する充電通知部と、
を備えたことを特徴とするテレビ放送受信装置。
【請求項１２】
電池を電源としたテレビ放送受信装置の消費電力管理方法であって、
前記テレビ放送受信装置は、
テレビ放送信号を受信する受信部と、
前記受信部が受信したテレビ放送信号に含まれる番組の映像データおよび音声データの復号化、および再生を行う再生部と、
視聴する番組の開始時間、および終了時間を示す番組情報が複数設定される視聴番組設定部と、
を備えたものであり、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出ステップと、
前記受信部と前記再生部とが前記合計視聴時間の動作をした場合に消費する合計消費電力量を算出する消費電力量算出ステップと、
前記電池の電池残量を検出する電池残量検出ステップと、
前記合計消費電力量が、前記電池残量検出ステップが検出した電池残量よりも大きい場合に、前記電池の充電が必要である旨をユーザに通知する充電通知ステップと、
を有することを特徴とするテレビ放送受信装置の消費電力管理方法。
【請求項１３】
請求項１２のテレビ放送受信装置の消費電力管理方法であって、
前記テレビ放送信号は、番組の開始時間、および終了時間を示す番組情報を含んだ信号であり、さらに、
前記受信部が受信したテレビ放送信号から前記番組情報を取得する番組情報取得ステップと、
前記番組情報の一覧を表示する電子番組表表示ステップと、
前記電子番組表表示ステップによって表示された番組情報のうちから選択された番組情報を前記視聴番組設定部に設定する番組情報選択ステップと、
を有することを特徴とするテレビ放送受信装置の消費電力管理方法。
【請求項１４】
請求項１３のテレビ放送受信装置の消費電力管理方法であって、
前記番組情報は、さらに番組の放送延長時間を示す情報を含むものであり、
前記視聴時間算出ステップは、前記視聴番組設定部に設定された全番組情報についての前記視聴時間の合計に、さらに前記放送延長時間を加算して前記合計視聴時間として算出することを特徴とするテレビ放送受信装置の消費電力管理方法。
【請求項１５】
請求項１２のテレビ放送受信装置の消費電力管理方法であって、
前記視聴時間算出ステップは、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出し、
前記消費電力量算出ステップは、前記受信部と前記再生部とが前記累積視聴時間の動作をした場合に消費する消費電力量を前記合計消費電力量として算出し、
前記充電通知ステップは、前記合計消費電力量が、前記電池残量検出ステップが検出した電池残量よりも大きい場合には、番組を視聴できない旨を通知することを特徴とするテレビ放送受信装置の消費電力管理方法。
【請求項１６】
請求項１２のテレビ放送受信装置の消費電力管理方法であって、
さらに、前記テレビ放送受信装置は、前記電池を電源とする携帯電話部を備え、
前記消費電力量算出ステップは、前記受信部と前記再生部とが前記合計視聴時間の動作をした場合に消費する消費電力量と、現在時刻から前記視聴番組設定部に設定された番組情報のうち最後に視聴される予定の番組に係る番組情報の終了時間までに、前記携帯電話部が待ち受け状態で動作する場合の消費電力量との合計を前記合計消費電力量として算出することを特徴とするテレビ放送受信装置の消費電力管理方法。
【請求項１７】
請求項１２のテレビ放送受信装置の消費電力管理方法であって、
前記テレビ放送受信装置は、さらに、
現在の時刻を計測するタイマ部と、
ユーザが指定した時刻を示す時刻情報を設定する時刻設定部とを備え、
前記消費電力量算出ステップは、前記タイマ部が計測した現在時刻と前記時刻設定部に設定された前記時刻情報とが一致した場合に、前記合計消費電力量を算出し、
前記充電通知ステップは、前記タイマ部が計測した現在時刻と前記時刻設定部に設定された前記時刻情報とが一致した場合に、前記通知を行うことを特徴とするテレビ放送受信装置の消費電力管理方法。
【請求項１８】
請求項１２のテレビ放送受信装置の消費電力管理方法であって、
前記テレビ放送受信装置は、さらに、
現在の位置情報を検出する位置情報検出部と、
ユーザが指定した位置を示す位置情報を設定する位置情報設定部とを備え、
前記消費電力量算出ステップは、前記位置情報検出部が検出した位置情報と前記位置情報設定部に設定された前記位置情報とが一致した場合に、前記合計消費電力量を算出し、
前記充電通知ステップは、前記位置情報検出部が検出した位置情報と前記位置情報設定部に設定された前記位置情報とが一致した場合に、前記通知を行うことを特徴とするテレビ放送受信装置の消費電力管理方法。
【手続補正２】
【補正対象書類名】明細書
【補正対象項目名】全文
【補正方法】変更
【補正の内容】
【発明の詳細な説明】
【技術分野】
【０００１】
本発明は、携帯テレビや携帯電話などの移動体に組み込まれ、電池により駆動されるテレビ放送受信装置、テレビ放送受信装置の制御装置、および前記テレビ放送受信装置の消費電力管理方法に関するものである。
【背景技術】
【０００２】
今後は、携帯テレビや携帯電話などの移動体端末向けの地上波デジタル放送が開始される予定がある。この移動体端末向けの地上波デジタル放送では、映像データや音声データ（以下、映像データおよび音声データの両者を合わせて音声映像データという。）の圧縮方式に、Ｈ２６４が使用される予定がある。
【０００３】
前記Ｈ２６４のような圧縮方式によって圧縮された音声映像データの復号化の処理は、例えば携帯テレビにとっては負荷が大きな処理なので、消費電力量が大きい。このため、テレビ番組の視聴中に電池残量がなくなる場合があると考えられる。特に、携帯電話では、本来の通話機能やメール送受信機能以外に、デジタルカメラ、音楽再生、テレビ受信機能が追加されると、消費電力量の増加が顕著になり、携帯電話の通話中やテレビ番組の視聴中に電池残量が無くなる場合が多く発生すると考えられる。
【０００４】
上記のような消費電力量の増加に対しては、例えば、ノート型パーソナルコンピュータ等の情報処理装置においては、前記情報処理装置が有する複数の機能手段ごとに優先度をつけておき、電池残量が減少した場合に、優先度が低い機能手段から停止し、優先度が高い機能手段にのみ電源供給することにより、消費電力を少なくするようにしたものがある（例えば、特許文献１を参照）。これにより、消費電力量が制御され、より長時間、データの処理をすることができる。
【０００５】
また、デジタル放送受信システムにおいて、電池残量が減少した場合に、消費電力量が大きい音声映像データの再生手段および表示手段への電源供給を停止し、視聴中の番組を記録媒体に記録することにより、消費電力を少なくするようにしたものがある（例えば、特許文献２を参照）。
【特許文献１】特開２００１―３３１２４２号公報
【特許文献２】特開２００３―２８３９５８号公報
【発明の開示】
【発明が解決しようとする課題】
【０００６】
しかし、複数の機能手段のうちの優先度が低い機能手段を停止しても、データ処理の途中で電池残量がなくなる場合があるので、最後まで情報処理装置の動作が保証されるわけではない。
【０００７】
また、視聴中の番組を記録媒体に記録する場合にも、番組の途中で電池残量がなくなる場合があるので、番組を最後まで記録することが保証されるわけではない。
【０００８】
本発明は、前記の問題に着目してなされたものであり、電池により駆動されるテレビ放送受信装置において、番組の視聴中に電池残量がなくなることを防止できるようにすることを目的としている。
【課題を解決するための手段】
【０００９】
前記の課題を解決するため、本発明の第１の態様は、
電池を電源としたテレビ放送受信装置であって、
テレビ放送信号を受信する受信部と、
前記受信部が受信したテレビ放送信号に含まれる番組の映像データおよび音声データの復号化、および再生を行う再生部と、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記受信部と前記再生部とが前記合計視聴時間の動作をした場合に消費する合計消費電力量を算出する消費電力算出部と、
前記電池の電池残量を検出する電池残量検出部と、
前記合計消費電力量が、前記電池残量検出部が検出した電池残量よりも大きい場合に、前記電池の充電が必要である旨をユーザに通知する充電通知部と、
を備えたことを特徴とする。
【００１０】
これにより、番組を視聴するのに必要だけ電池に残量がない場合には、予め充電が必要な旨がユーザに通知されるので、電池により駆動されるテレビ放送受信装置において、番組の視聴中に電池残量がなくなることを防止することが可能になる。
【００１１】
また、本発明の第２の態様は、
第１の態様のテレビ放送受信装置であって、
前記テレビ放送信号は、番組の開始時間、および終了時間を示す番組情報を含んだ信号であり、
前記視聴番組設定部は、前記番組情報の一覧を表示するとともに、表示された番組情報のうちから選択された番組情報が設定されるように構成されていることを特徴とする。
【００１２】
これにより、ユーザがより容易に視聴したい番組を設定することが可能になる。
【００１３】
また、本発明の第３の態様は、
第２の態様のテレビ放送受信装置であって、
前記番組情報は、さらに番組の放送延長時間を示す情報を含むものであり、
前記視聴時間算出部は、前記視聴番組設定部に設定された全番組情報についての前記視聴時間の合計に、さらに前記放送延長時間を加算して前記合計視聴時間として算出するように構成されていることを特徴とする。
【００１４】
これにより、番組の放送延長時間が合計視聴時間に加算されるので、例えばスポーツ実況中継などの延長の可能性がある番組でも、番組視聴中に電池残量が無くなることを防止することが可能になる。
【００１５】
また、本発明の第４の態様は、
第１の態様のテレビ放送受信装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記受信部と前記再生部とが前記累積視聴時間の動作をした場合に消費する消費電力量を前記合計消費電力量として算出するように構成され、
前記充電通知部は、前記合計消費電力量が、前記電池残量検出部が検出した電池残量よりも大きい場合には、番組を視聴できない旨を通知するように構成されていることを特徴とする。
【００１６】
これにより、選択された各番組に関して、前記累積視聴時間が算出されるので、ユーザは現在の電池残量でどの番組を視聴できるかを識別できる。したがって、電池残量が少ないために、選択した番組の全てを見ることができない場合には、視聴したい番組を絞って、選択し直すことが可能になる。
【００１７】
また、本発明の第５の態様は、
第１の態様のテレビ放送受信装置であって、
さらに、前記電池を電源とする携帯電話部を備え、
前記消費電力算出部は、前記受信部と前記再生部とが前記合計視聴時間の動作をした場合に消費する消費電力量と、現在時刻から前記視聴番組設定部に設定された視聴する予定の番組に係る番組情報の終了時間までに、前記携帯電話部が待ち受け状態で動作する場合の消費電力量との合計を前記合計消費電力量として算出するように構成されていることを特徴とする。
【００１８】
これにより、例えば携帯電話に本発明のテレビ放送受信装置が組み込まれた場合などにも、番組視聴中に電池残量が無くなることを防止することが可能になる。
【００１９】
また、本発明の第６の態様は、
第１の態様のテレビ放送受信装置であって、さらに、
現在の時刻を計測するタイマ部と、
ユーザが指定した時刻を示す時刻情報を設定する時刻設定部とを備え、
前記消費電力算出部は、前記タイマ部が計測した現在時刻と前記時刻設定部に設定された前記時刻情報とが一致した場合に、前記合計消費電力量を算出するように構成され、
前記充電通知部は、前記タイマ部が計測した現在時刻と前記時刻設定部に設定された前記時刻情報とが一致した場合に、前記通知を行うように構成されていることを特徴とする。
【００２０】
また、本発明の第７の態様は、
第１の態様のテレビ放送受信装置であって、さらに、
現在の位置情報を検出する位置情報検出部と、
ユーザが指定した位置を示す位置情報を設定する位置情報設定部とを備え、
前記消費電力算出部は、前記位置情報検出部が検出した位置情報と前記位置情報設定部に設定された前記位置情報とが一致した場合に、前記合計消費電力量を算出するように構成され、
前記充電通知部は、前記位置情報検出部が検出した位置情報と前記位置情報設定部に設定された前記位置情報とが一致した場合に、前記通知を行うように構成されていることを特徴とする。
【００２１】
これらにより、ユーザが充電可能な時刻やユーザが充電可能な場所で、充電が必要な旨がユーザに通知されるので、充電忘れが防止され、電池により駆動されるテレビ放送受信装置において、番組の視聴中に電池残量がなくなることを防止することが可能になる。
【００２２】
また、本発明の第８の態様は、
電池を電源としたテレビ放送受信装置の制御装置であって、
視聴する番組の開始時間、および終了時間を示す番組情報が複数設定される視聴番組設定部と、
前記視聴番組設定部に設定された各番組情報について、前記終了時間から前記開始時間を引き算した視聴時間を算出する一方、前記視聴番組設定部に設定された全番組情報についての前記視聴時間を合計した合計視聴時間を算出する視聴時間算出部と、
前記合計視聴時間の番組視聴をした場合に消費する合計消費電力量を算出する消費電力算出部と、
前記電池の電池残量を検出する電池残量検出部と、
前記合計消費電力量が、前記電池残量取得部が取得した電池残量よりも大きい場合に、前記電池の充電が必要であると判定する充電判定部と、
を備えたことを特徴とする。
【００２３】
これにより、番組を視聴するのに必要だけ電池に残量がない場合には、予め充電が必要であると判定されるので、電池により駆動されるテレビ放送受信装置において、番組の視聴中に電池残量がなくなることを防止することが可能になる。
【００２４】
また、本発明の第９の態様は、
第８の態様のテレビ放送受信装置の制御装置であって、
前記視聴時間算出部は、前記視聴番組設定部に設定された１つの番組情報の前記視聴時間と、前記視聴番組設定部に設定された番組情報のうち前記１つの番組情報が示す開始時間よりも開始時間が早い番組の番組情報の前記視聴時間とを合計した累積視聴時間を、前記視聴番組設定部に設定された各番組情報について算出するように構成され、
前記消費電力算出部は、前記累積視聴時間の番組視聴をした場合に消費する消費電力量を前記合計消費電力量として算出するように構成され、
前記充電判定部は、前記合計消費電力量が、前記電池残量検出部が検出した電池残量よりも大きい場合には、番組を視聴できないと判定するように構成されていることを特徴とする。
【００２５】
これにより、選択された各番組に関して、前記累積視聴時間が算出されるので、ユーザは現在の電池残量でどの番組を視聴できるかを判定できる。
【００２６】
また、本発明の第１０の態様は、
第１の態様のテレビ放送受信装置であって、
前記電池は、電池残量を検出する機能を有したものであり、
前記電池から電池残量を取得する電池残量取得部を前記電池残量検出部に代えて備えたことを特徴とする。
【００２７】
これにより、電池自体が電池残量を検出する機能を有したスマートバッテリなどが使用されるテレビ放送受信装置において、番組を視聴するのに必要だけ電池に残量がない場合には、予め充電が必要な旨がユーザに通知される。
【００２８】
また、本発明の第１１の態様は、
電池を電源としたテレビ放送受信装置であって、
テレビ放送信号を受信する受信部と、
前記受信部が受信したテレビ放送信号に含まれる番組の映像データおよび音声データを記録する録画部と、
録画する番組の開始時間、および終了時間を示す番組情報が複数設定される録画番組設定部と、
前記録画番組設定部に設定された各番組情報について、前記終了時間から前記開始時間を引き算した録画時間を算出する一方、前記録画番組設定部に設定された全番組情報についての前記録画時間を合計した合計録画時間を算出する録画時間算出部と、
前記受信部と前記録画部とが前記合計録画時間の動作をした場合に消費する合計消費電力量を算出する消費電力算出部と、
前記電池の電池残量を検出する電池残量検出部と、
前記合計消費電力量が、前記電池残量検出部の検出した電池残量よりも大きい場合に、前記電池の充電が必要である旨をユーザに通知する充電通知部と、
を備えたことを特徴とする。
【００２９】
これにより、番組を録画するのに必要だけ電池に残量がない場合には、予め充電が必要な旨がユーザに通知されるので、電池により駆動されるテレビ放送受信装置において、番組の録画中に電池残量がなくなることを防止することが可能になる。
【発明の効果】
【００３０】
本発明によれば、電池により駆動されるテレビ放送受信装置において、番組の視聴中に電池残量がなくなることを防止することが可能になる。
【発明を実施するための最良の形態】
【００３１】
以下、本発明の実施形態について図面を参照しながら説明する。
【００３２】
《発明の実施形態１》
図１は、本発明の実施形態１に係るテレビ放送受信装置１００の構成を示すブロック図である。テレビ放送受信装置１００は、図１に示すように、受信部１０１、再生部１０２、液晶ディスプレイ１０３、キー入力部１０４、視聴番組設定部１０５、視聴時間算出部１０６、消費電力算出部１０７、電池１０８、電池残量検出部１０９、充電通知部１１０、およびスピーカ１１１を備えて構成されている。
【００３３】
受信部１０１は、地上波デジタル放送を受信するようになっている。
【００３４】
再生部１０２は、受信部１０１が受信した地上波デジタル放送のトランスポートストリームから選局した番組の映像データ、および音声データ（以下、映像データ、および音声データの両者を合わせて音声映像データという。）を抽出し、前記音声映像データを復号化して再生し、液晶ディスプレイ１０３に表示するようになっている。
【００３５】
液晶ディスプレイ１０３は、前記再生部１０２が再生した音声映像データの表示、およびユーザが選択したチャンネル、電池残量などの番組情報を表示するようになっている。
【００３６】
キー入力部１０４は、ユーザがキーを操作して入力した番組（視聴される番組）のチャンネル番号、開始時間、終了時間などの番組情報を視聴番組設定部１０５に出力するようになっている。
【００３７】
視聴番組設定部１０５は、キー入力部１０４が出力した前記番組情報が視聴予定番組として設定される（保持する）とともに、液晶ディスプレイ１０３に出力するようになっている。
【００３８】
視聴時間算出部１０６は、視聴番組設定部１０５に保持された各番組情報に関して、番組の終了時間から開始時間を引算して視聴時間を算出し、さらに選択された複数番組の視聴時間を合計して合計視聴時間を算出するようになっている。
【００３９】
消費電力算出部１０７は、受信部１０１と再生部１０２とが前記合計視聴時間の動作をした場合に消費する消費電力量を算出するようになっている。
【００４０】
電池１０８は、充電式の電池であり、テレビ放送受信装置１００の各部に電力を供給するようになっている。
【００４１】
電池残量検出部１０９は、電池１０８の電池残量を検出するようになっている。
【００４２】
充電通知部１１０は、消費電力量が電池残量より大きい場合に、充電が必要であることをユーザに通知するために、警告アラームをスピーカ１１１から出力するとともに、警告メッセージ（例えば、「充電が必要です」というメッセージ）を液晶ディスプレイ１０３に表示するようになっている。
【００４３】
スピーカ１１１は、前記警告アラームを出力するようになっている。
【００４４】
上記のように構成された、テレビ放送受信装置１００では、図２のフローチャートに示す処理が行われることによって、番組の視聴中に電池残量がなくなることが防止される。各ステップにおける処理は、以下のとおりである。
【００４５】
（ステップＳ１０１）
ユーザがキー入力部１０４を操作して、視聴したい番組のチャンネル番号、開始時間、終了時間等の番組情報を入力すると、入力された番組情報は、視聴番組設定部１０５に設定される。視聴番組設定部１０５は、設定された前記番組情報を液晶ディスプレイ１０３に表示するとともに、視聴時間算出部１０６に出力する。例えば、図３に示すように、番組Ｐ１０１、Ｐ１０２が設定されている場合には、液晶ディスプレイ１０３の表示内容は、図４に示すようになる。
【００４６】
（ステップＳ１０２）
視聴時間算出部１０６は、設定された各番組情報に関して、前記番組情報の終了時間から開始時間を引算して視聴時間を算出し、さらに選択された全番組の視聴時間を合計して合計視聴時間を算出する。例えば、前記のように番組Ｐ１０１とＰ１０２とが設定されている場合には、番組Ｐ１０１の視聴時間は１時間、番組Ｐ１０２の視聴時間は２時間と算出され、また、合計視聴時間は３時間と算出される。
【００４７】
（ステップＳ１０３）
消費電力算出部１０７は、視聴時間算出部１０６で算出された合計視聴時間に基づいて、受信部１０１と再生部１０２とが前記合計視聴時間の動作をした場合に消費される消費電力量を算出する。例えば、受信部１０１と再生部１０２とが１時間動作した場合に、電池のフル充電量の２０％を消費するものとすると、合計視聴時間が３時間の場合の消費電力量は、フル充電量の６０％と算出される。
【００４８】
（ステップＳ１０４）
一方、電池残量検出部１０９は、電池１０８の電池残量を検出する。ここでは、例えば、電池残量が５０％と検出されたとする。
【００４９】
（ステップＳ１０５）
充電通知部１１０は、消費電力量が電池残量より大きい場合に、ステップＳ１０６の処理に移行し、消費電力量が電池残量より小さい場合には処理を終了する。ここで、上記の例では、算出された消費電力量６０％は、電池残量５０％よりも大きいので、ステップＳ１０６に移行する。
【００５０】
（ステップＳ１０６）
充電通知部１１０は、充電が必要であることをユーザに通知する。具体的には、警告アラームがスピーカ１１１に出力されるとともに、「充電が必要です」というメッセージが液晶ディスプレイ１０３に表示される。
【００５１】
上記のように、本実施形態によれば、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。
【００５２】
《発明の実施形態２》
ユーザがより容易に視聴したい番組を設定することが可能な装置の例を説明する。
【００５３】
図５は、本発明の実施形態２に係るテレビ放送受信装置２００の構成を示すブロック図である。テレビ放送受信装置２００は、図５に示すように、テレビ放送受信装置１００に番組情報取得部２０４をさらに加え、視聴番組設定部１０５に代えて視聴番組設定部２０５を備えて構成されている点が前記テレビ放送受信装置１００と相異している。なお、以下の各実施形態において、前記実施形態１等と同様の機能を有する構成要素については、同一の符号を付して説明を省略する。
【００５４】
番組情報取得部２０４は、受信部１０１が受信した地上波デジタル放送のトランスポートストリームから番組名、開始時間、終了時間などの番組情報を取り出して、視聴番組設定部２０５に出力するようになっている。
【００５５】
視聴番組設定部２０５は、前記番組情報から電子番組表を作成して液晶ディスプレイ１０３に表示するようになっている。
【００５６】
また、視聴番組設定部２０５は、ユーザがキー入力部１０４を操作して、前記電子番組表の中から選択した番組（視聴したい番組）の番組情報が視聴予定番組として設定されるようになっている。
【００５７】
上記のように構成された、テレビ放送受信装置２００では、図６のフローチャートに示す処理が行われることによって、番組の視聴中に電池残量がなくなることが防止される。各ステップにおける処理は、以下のとおりである。
【００５８】
（ステップＳ２０１）
番組情報取得部２０４は、受信部１０１が受信した地上波デジタル放送のトランスポートストリームから番組情報を取り出して、視聴番組設定部２０５に出力する。
【００５９】
（ステップＳ２０２）
視聴番組設定部２０５は、番組情報から電子番組表を作成して液晶ディスプレイ１０３に表示する。次に、ユーザがキー入力部１０４を操作して、電子番組表の中から視聴したい番組を選択すると、ユーザが選択した番組を視聴予定番組として設定される。ここで、液晶ディスプレイ１０３に表示された電子番組表で視聴したい番組を選択した場合の様子の一例を図７に示す。この例では、番組Ｐ１０１のニュースと番組Ｐ１０２の野球とが選択されている。本装置では、選択された番組は、番組が選択されたことを示すために、番組の周囲の枠線が２重線で表示されている。
【００６０】
（ステップＳ２０３〜２０７）
ステップＳ２０３〜２０７における処理は、それぞれ前記実施形態１のステップＳ１０２〜Ｓ１０６における処理と同じ処理である。
【００６１】
したがって、本実施形態においても、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。
【００６２】
しかも、ユーザは、表示された電子番組表から視聴したい番組を選択すればよいので、より容易に視聴予定番組を設定することが可能になる。
【００６３】
なお、本実施形態では、電子番組表で選択された番組が２重線の枠線で囲まれて表示される例を説明したが、選択された番組と非選択の番組との識別には、例えば番組の枠内の色を変えて表示する等、種々の方法が適用できる。
【００６４】
また、受信した地上波デジタル放送のトランスポートストリームから番組情報を取得する例を説明したが、例えば、本装置が携帯電話に組み込まれた場合には、携帯電話の通信機能を用い、インターネットなどから番組情報を取得するようにしてもよい。
【００６５】
《発明の実施形態３》
放送時間が延長される可能性のある番組を視聴する場合でも、番組視聴中に電池残量が無くなることを防止することが可能になる装置の例を説明する。
【００６６】
図８は、本発明の実施形態３に係るテレビ放送受信装置３００の構成を示すブロック図である。テレビ放送受信装置３００は、実施形態２のテレビ放送受信装置２００と比べ、番組情報取得部２０４に代えて番組情報取得部３０４を備え、視聴時間算出部１０６に代えて視聴時間算出部３０６を備えて構成されている点が異なっている。
【００６７】
番組情報取得部３０４は、受信部１０１が受信した地上波デジタル放送のトランスポートストリームから番組の放送延長時間の番組情報を取り出す延長時間取得部３０４ａを備えて構成されている。番組情報取得部３０４は、受信部１０１が受信した地上波デジタル放送のトランスポートストリームから取り出した番組名、開始時間、終了時間などの番組情報、および延長時間取得部３０４ａで取り出した放送延長時間の番組情報を視聴番組設定部２０５に出力するようになっている。
【００６８】
視聴時間算出部３０６は、視聴番組設定部２０５に設定された各番組に関して、番組情報の終了時間から開始時間を引算した後、前記放送延長時間を加算して、視聴時間を算出し、さらに選択された全番組の視聴時間を合計して合計視聴時間を算出するようになっている。
【００６９】
上記のように構成された、テレビ放送受信装置３００では、図９のフローチャートに示す処理が行われることによって、番組の視聴中に電池残量がなくなることが防止される。各ステップにおける処理は、以下のとおりである。
【００７０】
（ステップＳ３０１）
番組情報取得部３０４は、受信した地上波デジタル放送のトランスポートストリームから番組名、開始時間、終了時間などの番組情報を取り出す。また、延長時間取得部３０４ａは、前記トランスポートストリームから番組の放送延長時間の番組情報を取り出す。
【００７１】
（ステップＳ３０２）
視聴番組設定部２０５は、番組情報から電子番組表を作成して液晶ディスプレイ１０３に表示する。次に、ユーザがキー入力部１０４を操作して、電子番組表の中から視聴したい番組を選択すると、ユーザが選択した番組を視聴予定番組として設定される。ここでは、図１０の表に示す番組Ｐ１０１、Ｐ１０２が設定されたものとして以下の説明を行う。
【００７２】
（ステップＳ３０３）
視聴時間算出部３０６は、選択された各番組に関して、番組情報の終了時間から開始時間を引算した後、放送延長時間を加算して、視聴時間を算出し、さらに選択された全番組の視聴時間を合計して合計視聴時間を算出する。図１０の表に示した例では、番組Ｐ１０１の視聴時間は１時間、番組Ｐ１０２の視聴時間は２時間、放送延長時間が０．５時間なので、合計視聴時間は３．５時間と算出される。
【００７３】
（ステップＳ３０４）
消費電力算出部１０７は、受信部１０１と再生部１０２とが合計視聴時間の動作をした場合に消費される消費電力量を算出する。ここで、受信部１０１と再生部１０２とが１時間動作した場合に電池のフル充電量の２０％を消費するものとすると、合計視聴時間３．５時間の消費電力量は７０％と算出される。
【００７４】
（ステップＳ３０５〜３０７）
ステップＳ３０５〜３０７における処理は、それぞれ前記実施形態１のステップＳ１０４〜Ｓ１０６における処理と同じ処理である。
【００７５】
したがって、本実施形態においても、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。
【００７６】
しかも、延長時間取得部３０４ａが取得した番組の放送延長時間が合計視聴時間に加算されるので、例えばスポーツ実況中継などの延長の可能性がある番組でも、番組視聴中に電池残量が無くなることを防止することが可能になる。
【００７７】
《発明の実施形態４》
図１１は、本発明の実施形態４に係るテレビ放送受信装置４００の構成を示すブロック図である。テレビ放送受信装置４００は、図１１に示すように、実施形態１のテレビ放送受信装置１００と比べ、視聴時間算出部１０６に代えて視聴時間算出部４０６を備え、消費電力算出部１０７に代えて消費電力算出部４０７を備えて構成されている点が異なっている。
【００７８】
視聴時間算出部４０６は、視聴番組設定部１０５に設定されたそれぞれの番組について、番組情報の終了時間から開始時間を引算して視聴時間を算出し、さらにその番組とその番組よりも開始時間が早い番組の視聴時間を合計した累積視聴時間を算出するようになっている。
【００７９】
消費電力算出部４０７は、受信部１０１と再生部１０２とが前記累積視聴時間の動作をして消費する消費電力量を算出するようになっている。
【００８０】
上記のように構成された、テレビ放送受信装置４００では、図１２のフローチャートに示す処理が行われることによって、番組の視聴中に電池残量がなくなることが防止される。各ステップにおける処理は、以下のとおりである。
【００８１】
（ステップＳ４０１）
ユーザがキー入力部１０４を操作して、視聴したい番組のチャンネル番号、開始時間、終了時間等の番組情報を入力すると、入力された番組情報は、視聴番組設定部１０５に設定される。視聴番組設定部１０５は、設定された前記番組情報を液晶ディスプレイ１０３に表示するとともに、視聴時間算出部４０６に出力する。
【００８２】
（ステップＳ４０２）
視聴番組設定部１０５に設定されたそれぞれの番組について、番組情報の終了時間から開始時間を引算して視聴時間を算出し、さらにその番組とその番組よりも開始時間が早い番組の視聴時間を合計した累積視聴時間を算出する。図１３の表に示した例では、番組Ｐ１０１の累積視聴時間は１時間、番組Ｐ１０２の累積視聴時間は、番組Ｐ１０１とＰ１０２の視聴時間を合計して３時間と算出される。
【００８３】
（ステップＳ４０３）
消費電力算出部４０７は、受信部１０１と再生部１０２が累積視聴時間の動作をした場合に消費される累積消費電力量を算出する。ここで、受信部１０１と再生部１０２とが１時間動作した場合に電池のフル充電量の２０％を消費するものとすると、番組Ｐ１０１の累積消費電力量は２０％、番組Ｐ１０２の累積消費電力量は６０％と算出される。
【００８４】
（ステップＳ４０４）
一方、電池残量検出部１０９は、電池１０８の電池残量を検出する。ここでは、例えば、電池残量が５０％と検出されたとする。
【００８５】
以下、視聴番組設定部１０５に設定されている各番組について、ステップ４０５〜４０７の処理が行われる。
【００８６】
（ステップＳ４０５）
充電通知部１１０は、各番組に対応した累積消費電力量が電池残量より大きい場合には、ステップＳ４０６の処理に移行し、累積消費電力量が電池残量より小さい場合には、ステップＳ４０７の処理に移行する。
【００８７】
（ステップＳ４０６）
充電通知部１１０は、番組が視聴できない旨を液晶ディスプレイ１０３表示する。例えば、番組Ｐ１０２の累積消費電力量は６０％で、電池残量の５０％よりも大きいため、視聴できない旨が表示される。
〔ステップＳ１０７〕
視聴番組設定部１０５は、番組が視聴できる旨を液晶ディスプレイ１０３表示する。例えば、番組Ｐ１０１の累積消費電力量は２０％で、電池残量は５０％より小さいため、視聴できる旨が表示される。
【００８８】
図１４は、例えば、テレビ放送受信装置１００のように、番組情報として開示時刻、終了時刻、およびチャンネルを表示する装置に各番組の視聴可否が表示された例である。また、図１５は、テレビ放送受信装置２００のように、番組情報として開示時刻、番組名、およびチャンネルを表示する装置に各番組の視聴可否が表示された例である。これらの例では、番組Ｐ１０１が視聴できることを示すために番組表示枠の右端に○印が表示され、番組Ｐ１０２が視聴できないことを示すために×印が表示されている。
【００８９】
上記のように、本実施形態では、選択された各番組に関して、前記累積視聴時間が算出されるので、ユーザは現在の電池残量でどの番組を視聴できるかを識別できる。したがって、電池残量が少ないために、選択した番組の全てを見ることができない場合には、視聴したい番組を絞って、選択し直すことが可能になる。
【００９０】
なお、上記で説明した視聴可否を識別する方法（○×表示による識別）は、例示であり、例えば、液晶ディスプレイ１０３に表示された番組の枠内の色を変えて視聴可否を識別する方法などを採用してもよい。
【００９１】
《発明の実施形態５》
テレビ放送受信装置と携帯電話とが組み合わされた例を説明する。
【００９２】
図１６は、本発明の実施形態５に係るテレビ放送受信装置５００の構成を示すブロック図である。テレビ放送受信装置５００は、図１６に示すように、実施形態１のテレビ放送受信装置１００と比べ、さらに携帯電話部５０６を備え、消費電力算出部１０７に代えて消費電力算出部５０７を備えて構成されている点が異なっている。
【００９３】
携帯電話部５０６は、電源電圧が電池１０８から供給されるようになっている。また、携帯電話部５０６からは、携帯電話部５０６の消費電力を算出するための情報が消費電力算出部５０７に出力されるようになっている。
【００９４】
消費電力算出部５０７は、受信部１０１と再生部１０２とが合計視聴時間の動作をした場合に消費される消費電力量と、携帯電話部５０６が現在時刻から視聴予定の番組の終了時間まで待ち受け状態で動作した場合に消費される消費電力量の合計を算出するようになっている。
【００９５】
上記のように構成された、テレビ放送受信装置５００では、図１７のフローチャートに示す処理が行われることによって、番組の視聴中に電池残量がなくなることが防止される。各ステップにおける処理は、以下のとおりである。
【００９６】
（ステップＳ５０１〜５０２）
ステップＳ５０１〜５０２における処理は、それぞれ前記実施形態１のステップＳ１０１〜Ｓ１０２における処理と同じ処理である。
【００９７】
したがって、これらの処理により、ユーザが入力した前記番組情報が液晶ディスプレイ１０３に表示される一方、選択された各番組の視聴時間が算出され、さらに合計視聴時間を算出される（図１８を参照）。
【００９８】
（ステップＳ５０３）
消費電力算出部５０７は、受信部１０１と再生部１０２とが合計視聴時間動作して消費する消費電力量と、携帯電話部５０６が現在時刻から前記番組の終了時間までに待ち受け状態で動作して消費する消費電力量の合計を算出する。
【００９９】
受信部１０１と再生部１０２とが１時間動作した場合に、電池のフル充電量の２０％を消費するものとすると、図１８の表の例では、番組Ｐ１０１の消費電力量は２０％、番組Ｐ１０２の消費電力量は４０％、携帯電話部５０６の消費電力量は１０％と算出され、合計の消費電力量は７０％と算出される。
【０１００】
（ステップＳ５０４）
一方、電池残量検出部１０９は、電池１０８の電池残量を検出する。ここでは、例えば、電池残量が６０％と検出されたとする。
【０１０１】
（ステップＳ５０５）
充電通知部１１０は、消費電力量が電池残量より大きい場合に、ステップＳ５０６の処理に移行し、消費電力量が電池残量より小さい場合には処理を終了する。ここで、上記の例では、算出された消費電力量７０％は、電池残量６０％よりも大きいので、ステップＳ５０６に移行する。
【０１０２】
（ステップＳ５０６）
充電通知部１１０は、充電が必要であることをユーザに通知する。具体的には、警告アラームがスピーカ１１１に出力されるとともに、「充電が必要です」というメッセージが液晶ディスプレイ１０３に表示される。
【０１０３】
上記のように、本実施形態によれば、受信部１０１と再生部１０２とが動作して消費される消費電力量と携帯電話部５０６が動作して消費される消費電力量の合計消費電力量が算出され、電池残量が算出された消費電力量に満たない場合には、充電が必要である旨がユーザに通知されるので、番組視聴中に電池残量が無くなることを防止することが可能になる。
【０１０４】
《発明の実施形態６》
図１９は、本発明の実施形態６に係るテレビ放送受信装置６００の構成を示すブロック図である。テレビ放送受信装置６００は、図１９に示すように、テレビ放送受信装置１００に警告タイミング管理部６０１をさらに加え、消費電力算出部１０７に代えて消費電力算出部６０７、電池残量検出部１０９に代えて電池残量検出部６０９、充電通知部１１０に代えて充電通知部６１０を備えて構成されている点が前記テレビ放送受信装置１００と相異している。
【０１０５】
警告タイミング管理部６０１は、時刻設定部６０１ａとタイマ部６０１ｂとを備えて構成されている。
【０１０６】
時刻設定部６０１ａは、ユーザが充電可能である時間帯の時刻が設定されるようになっている。
【０１０７】
タイマ部６０１ｂは、現在時刻と時刻設定部６０１ａに設定されている時刻とが一致した場合に、現在時刻と時刻設定部６０１ａに設定されている時刻とが一致したことを示す時刻一致信号を出力するようになっている。
【０１０８】
消費電力算出部６０７は、タイマ部６０１ｂが前記時刻一致信号を出力した際に、受信部１０１と再生部１０２とが前記合計視聴時間の動作をした場合に消費する消費電力量を算出するようになっている。
【０１０９】
電池残量検出部６０９は、タイマ部６０１ｂが前記時刻一致信号を出力した際に、電池１０８の電池残量を検出するようになっている。
【０１１０】
充電通知部６１０は、タイマ部６０１ｂが前記時刻一致信号を出力した際に、消費電力量が電池残量より大きければ、充電が必要であることをユーザに通知するために、警告アラームをスピーカ１１１から出力するとともに、警告メッセージを液晶ディスプレイ１０３に表示するようになっている。
【０１１１】
上記のように構成されたテレビ放送受信装置６００では、現在時刻と時刻設定部６０１ａに設定されている時刻が一致した場合に、消費電力算出部６０７で、必要な消費電力量が算出され、電池残量検出部６０９で電池残量が検出される。そして、消費電力算出部６０７で算出された消費電力量が電池残量より大きい場合に、充電通知部６１０で充電が必要である旨がユーザに通知される。
【０１１２】
例えば、テレビ放送受信装置を使用中に、充電通知部６１０が、充電が必要である旨を通知しても、ユーザが外出中であるなどの理由で充電できない状況の場合には、帰宅した時点で充電する必要がある。しかし、帰宅した時点では、充電することを忘れてしまい、番組視聴中に電池残量が無くなるという問題点がある。
【０１１３】
これに対し、テレビ放送受信装置６００では、ユーザの帰宅時間を時刻設定部６０１ａに設定しておくと、ユーザが設定した帰宅時間に充電通知部６１０によって、充電が必要である旨がユーザに通知されるので、充電忘れを防止することが可能になる。
【０１１４】
なお、時刻設定部６０１ａに帰宅時間を設定する例を説明したが、ユーザが充電可能である時間帯ならば、その他の時間を設定するようにしてもよい。
【０１１５】
《発明の実施形態７》
図２０は、本発明の実施形態７に係るテレビ放送受信装置７００の構成を示すブロック図である。テレビ放送受信装置７００は、図２０に示すように、テレビ放送受信装置１００に警告タイミング管理部６０１をさらに加え、消費電力算出部１０７に代えて消費電力算出部７０７、電池残量検出部１０９に代えて電池残量検出部７０９、充電通知部１１０に代えて充電通知部７１０を備えて構成されている点が前記テレビ放送受信装置１００と相異している。
【０１１６】
警告タイミング管理部７０１は、位置情報設定部７０１ａとＧＰＳ部７０１ｂ（ＧＰＳ：Ｇｌｏｂａｌ  Ｐｏｓｉｔｉｏｎｉｎｇ  Ｓｙｓｔｅｍ）とを備えて構成されている。
【０１１７】
位置情報設定部７０１ａは、ユーザが充電可能である位置情報（例えば自宅の位置情報）が設定されるようになっている。
【０１１８】
ＧＰＳ部７０１ｂは、現在のテレビ放送受信装置７００の位置情報を検出し、検出した位置情報と位置情報設定部７０１ａに設定された位置情報とが一致した場合に、検出した位置情報と位置情報設定部７０１ａに設定された位置情報とが一致したことを示す位置情報一致信号を出力するようになっている。
【０１１９】
消費電力算出部７０７は、ＧＰＳ部７０１ｂが前記位置情報一致信号を出力した際に、受信部１０１と再生部１０２とが前記合計視聴時間の動作をした場合に消費する消費電力量を算出するようになっている。
【０１２０】
電池残量検出部７０９は、ＧＰＳ部７０１ｂが前記位置情報一致信号を出力した際に、電池１０８の電池残量を検出するようになっている。
【０１２１】
充電通知部７１０は、ＧＰＳ部７０１ｂが前記位置情報一致信号を出力した際に、消費電力量が電池残量より大きければ、充電が必要であることをユーザに通知するために、警告アラームをスピーカ１１１から出力するとともに、警告メッセージを液晶ディスプレイ１０３に表示するようになっている。
【０１２２】
上記のように構成されたテレビ放送受信装置７００では、位置情報設定部７０１ａに設定されている位置情報とＧＰＳ部７０１ｂで検出されたテレビ放送受信装置７００の現在の位置情報とが一致した場合に、消費電力算出部７０７で、必要な消費電力量が算出され、電池残量検出部７０９で電池残量が検出される。そして、消費電力算出部７０７で算出された消費電力量が電池残量より大きい場合に、充電通知部７１０によって、液晶ディスプレイ１０３やスピーカ１１１を介して、充電が必要である旨がユーザに通知される。
【０１２３】
例えば、テレビ放送受信装置を使用中に、充電通知部７１０が、充電が必要である旨を通知しても、ユーザが外出中であるなどの理由で充電できない状況の場合には、帰宅した時点で充電する必要がある。しかし、帰宅した時点では、充電することを忘れてしまい、番組視聴中に電池残量が無くなるという問題点がある。
【０１２４】
これに対し、テレビ放送受信装置７００では、ユーザの自宅の位置情報を位置情報設定部７０１ａに設定しておくと、ユーザが帰宅した際に、充電通知部７１０によって充電が必要である旨がユーザに通知されるので、充電忘れを防止することが可能になる。
【０１２５】
なお、位置情報設定部７０１ａに自宅の位置情報を設定する例を説明したが、ユーザが充電可能である場所ならば、その他の場所を設定するようにしてもよい。
【０１２６】
《発明の実施形態８》
電池自体が電池残量を検出する機能を有したスマートバッテリなどを使用し、電池残量を電池から取得する装置の例を説明する。
【０１２７】
図２１は、本発明の実施形態８に係るテレビ放送受信装置８００の構成を示すブロック図である。テレビ放送受信装置８００は、図２１に示すように、テレビ放送受信装置１００の電池残量検出部１０９に代えて電池残量取得部８０１を備えている点、および電池１０８が電池残量を検出する機能を有している点がテレビ放送受信装置１００と相異している。この電池残量取得部８０１は、電池１０８が検出した電池残量を取得するようになっている。
【０１２８】
上記のテレビ放送受信装置８００では、図２２のフローチャートに示す処理が行われることによって、番組の視聴中に電池残量がなくなることが防止される。各ステップにおける処理は、以下のとおりである。
【０１２９】
（ステップＳ８０１）
ユーザがキー入力部１０４を操作して、視聴したい番組のチャンネル番号、開始時間、終了時間等の番組情報を入力すると、入力された番組情報は、視聴番組設定部１０５に設定される。視聴番組設定部１０５は、設定された前記番組情報を液晶ディスプレイ１０３に表示するとともに、視聴時間算出部１０６に出力する。
【０１３０】
（ステップＳ８０２）
視聴時間算出部１０６は、設定された各番組情報に関して、前記番組情報の終了時間から開始時間を引算して視聴時間を算出し、さらに選択された全番組の視聴時間を合計して合計視聴時間を算出する。
【０１３１】
（ステップＳ８０３）
消費電力算出部１０７は、視聴時間算出部１０６で算出された合計視聴時間に基づいて、受信部１０１と再生部１０２とが前記合計視聴時間の動作をした場合に消費される消費電力量を算出する。
【０１３２】
（ステップＳ８０４）
電池残量取得部８０１は、電池１０８から電池残量を取得する。
【０１３３】
（ステップＳ８０５）
充電通知部１１０は、消費電力量が電池残量より大きい場合に、ステップＳ８０６の処理に移行し、消費電力量が電池残量より小さい場合には処理を終了する。
【０１３４】
（ステップＳ８０６）
充電通知部１１０は、充電が必要であることをユーザに通知する。
【０１３５】
上記のように、本実施形態によれば、ユーザが視聴したい番組として設定した番組の合計視聴時間に基づいて、受信部１０１と再生部１０２とで消費される消費電力量が算出され、電池残量が算出された消費電力量に満たない場合には、充電が必要である旨がユーザに通知されるので、番組視聴中に電池残量が無くなることを防止することが可能になる。
【０１３６】
《発明の実施形態９》
予約番組を録画する場合でも、録画中に電池残量が無くなることを防止することが可能になる装置の例を説明する。
【０１３７】
図２３は、本発明の実施形態９に係るテレビ放送受信装置９００の構成を示すブロック図である。テレビ放送受信装置９００は、図２３に示すように、テレビ放送受信装置１００の視聴番組設定部１０５を録画番組設定部９０１に置き換え、再生部１０２を録画部９０２に置き換え、視聴時間算出部１０６を録画時間算出部９０３に置き換えて構成されている。
【０１３８】
録画番組設定部９０１は、ユーザがキー入力部１０４を操作して入力した、録画予約したい番組のチャンネル番号、開始時間、終了時間などが設定される（保持する）ようになっている。
【０１３９】
録画部９０２は、録画番組設定部９０１に設定した番組の開始時間になると、受信部１０１が選局した番組（録画予約した番組）を記録するようになっている。
【０１４０】
録画時間算出部９０３は、録画番組設定部９０１に保持された各番組情報に関して、番組の終了時間から開始時間を引算して録画時間を算出し、さらに選択された複数番組の録画時間を合計して合計録画時間を算出するようになっている。
【０１４１】
上記のテレビ放送受信装置９００では、図２４のフローチャートに示す処理が行われることによって、予約番組の録画中に電池残量がなくなることが防止される。各ステップにおける処理は、以下のとおりである。
【０１４２】
（ステップＳ９０１）
ユーザがキー入力部１０４を操作して、録画したい番組のチャンネル番号、開始時間、終了時間等の番組情報を入力すると、入力された番組情報は、録画番組設定部９０１に設定される。録画番組設定部９０１は、設定された前記番組情報を液晶ディスプレイ１０３に表示するとともに、録画時間算出部９０３に出力する。
【０１４３】
（ステップＳ９０２）
録画時間算出部９０３は、設定された各番組情報に関して、前記番組情報の終了時間から開始時間を引算して録画時間を算出し、さらに選択された全番組の録画時間を合計して合計録画時間を算出する。
【０１４４】
（ステップＳ９０３）
消費電力算出部１０７は、録画時間算出部９０３で算出された合計録画時間に基づいて、受信部１０１と録画部９０２とが前記合計録画時間の動作をした場合に消費される消費電力量を算出する。
【０１４５】
（ステップＳ９０４）
電池残量検出部１０９は、電池１０８の電池残量を検出する。
【０１４６】
（ステップＳ９０５）
充電通知部１１０は、消費電力量が電池残量より大きい場合に、ステップＳ１０６の処理に移行し、消費電力量が電池残量より小さい場合には処理を終了する。
【０１４７】
（ステップＳ９０６）
充電通知部１１０は、充電が必要であることをユーザに通知する。
【０１４８】
上記のように、本実施形態によれば、ユーザが録画したい番組として設定した番組の合計録画時間に基づいて、受信部１０１と録画部９０２とで消費される消費電力量が算出され、電池残量が算出された消費電力量に満たない場合には、充電が必要である旨がユーザに通知されるので、番組録画中に電池残量が無くなることを防止することが可能になる。
【０１４９】
なお、本発明の一態様としては、上記の受信部１０１、再生部１０２、液晶ディスプレイ１０３、およびスピーカ１１１を含まないテレビ放送受信装置用制御装置として構成することも可能である。この場合は、例えば充電通知部１１０は、液晶ディスプレイ１０３やスピーカ１１１に出力する機能を省略し、消費電力量が電池残量より大きいか否かを判定する部分（充電判定部）のみを含んだ構成にし、判定結果を外部に出力するようにすればよい。
【０１５０】
また、上記の各実施形態では、デジタル地上波放送を受信するテレビ放送受信装置の例を説明したが、例えば地上波アナログ放送を受信するテレビ放送受信装置に、これらの実施形態を適用してもよい。
【０１５１】
また、音声映像データを含むテレビ放送の番組だけでなく、プログラムやデータ等を含むデータ放送の番組を視聴する場合にもこれらの実施形態を適用してもよい。
【産業上の利用可能性】
【０１５２】
本発明に係るテレビ放送受信装置、テレビ放送受信装置の制御装置、およびテレビ放送受信装置の消費電力管理方法は、電池により駆動されるテレビ放送受信装置において、番組の視聴中に電池残量がなくなることを防止することが可能になるという効果を有し、携帯テレビや携帯電話などの移動体に組み込まれて、電池により駆動されるテレビ放送受信装置、前記テレビ放送受信装置の制御装置、および前記テレビ放送受信装置の消費電力管理方法等として有用である。
【図面の簡単な説明】
【０１５３】
【図１】本発明の実施形態１に係るテレビ放送受信装置の構成を示すブロック図である。
【図２】本発明の実施形態１に係るテレビ放送受信装置で行われる消費電力管理の手順を示すフローチャートである。
【図３】視聴番組設定部に設定される番組情報、各番組の視聴時間、および消費電力の一例を示す表である。
【図４】本発明の実施形態１に係るテレビ放送受信装置における液晶ディスプレイの表示内容の一例を示す図である。
【図５】本発明の実施形態２に係るテレビ放送受信装置の構成を示すブロック図である。
【図６】本発明の実施形態２に係るテレビ放送受信装置で行われる消費電力管理の手順を示すフローチャートである。
【図７】本発明の実施形態２に係るテレビ放送受信装置における液晶ディスプレイの表示内容の一例を示す図である。
【図８】本発明の実施形態３に係るテレビ放送受信装置の構成を示すブロック図である。
【図９】本発明の実施形態３に係るテレビ放送受信装置で行われる消費電力管理の手順を示すフローチャートである。
【図１０】本発明の実施形態３に係るテレビ放送受信装置において視聴番組設定部に設定される番組情報、各番組の視聴時間、および消費電力等の一例を示す表である。
【図１１】本発明の実施形態４に係るテレビ放送受信装置の構成を示すブロック図である。
【図１２】本発明の実施形態４に係るテレビ放送受信装置で行われる消費電力管理の手順を示すフローチャートである。
【図１３】本発明の実施形態４に係るテレビ放送受信装置において視聴番組設定部に設定される番組情報、各番組の視聴時間、および消費電力等の一例を示す表である。
【図１４】本発明の実施形態４に係るテレビ放送受信装置における液晶ディスプレイの表示内容の一例を示す図である。
【図１５】本発明の実施形態４に係るテレビ放送受信装置における液晶ディスプレイの表示内容の別の一例を示す図である。
【図１６】本発明の実施形態５に係るテレビ放送受信装置の構成を示すブロック図である。
【図１７】本発明の実施形態５に係るテレビ放送受信装置で行われる消費電力管理の手順を示すフローチャートである。
【図１８】本発明の実施形態５に係るテレビ放送受信装置において視聴番組設定部に設定される番組情報、各番組の視聴時間、および消費電力等の一例を示す表である。
【図１９】本発明の実施形態６に係るテレビ放送受信装置の構成を示すブロック図である。
【図２０】本発明の実施形態７に係るテレビ放送受信装置の構成を示すブロック図である。
【図２１】本発明の実施形態８に係るテレビ放送受信装置の構成を示すブロック図である。
【図２２】本発明の実施形態８に係るテレビ放送受信装置で行われる消費電力管理の手順を示すフローチャートである。
【図２３】本発明の実施形態９に係るテレビ放送受信装置の構成を示すブロック図である。
【図２４】本発明の実施形態９に係るテレビ放送受信装置で行われる消費電力管理の手順を示すフローチャートである。
【符号の説明】
【０１５４】
１００      テレビ放送受信装置
１０１      受信部
１０２      再生部
１０３      液晶ディスプレイ
１０４      キー入力部
１０５      視聴番組設定部
１０６      視聴時間算出部
１０７      消費電力算出部
１０８      電池
１０９      電池残量検出部
１１０      充電通知部
１１１      スピーカ
２００      テレビ放送受信装置
２０４      番組情報取得部
２０５      視聴番組設定部
３００      テレビ放送受信装置
３０４      番組情報取得部
３０４ａ    延長時間取得部
３０６      視聴時間算出部
４００      テレビ放送受信装置
４０６      視聴時間算出部
４０７      消費電力算出部
５００      テレビ放送受信装置
５０６      携帯電話部
５０７      消費電力算出部
６００      テレビ放送受信装置
６０１      警告タイミング管理部
６０１ａ    時刻設定部
６０１ｂ    タイマ部
６０７      消費電力算出部
６０９      電池残量検出部
６１０      充電通知部
７００      テレビ放送受信装置
７０１      警告タイミング管理部
７０１ａ    位置情報設定部
７０１ｂ    ＧＰＳ部
７０７      消費電力算出部
７０９      電池残量検出部
７１０      充電通知部
８００      テレビ放送受信装置
８０１      電池残量取得部
９００      テレビ放送受信装置
９０１      録画番組設定部
９０２      録画部
９０３      録画時間算出部
【手続補正３】
【補正対象書類名】図面
【補正対象項目名】全図
【補正方法】変更
【補正の内容】
【図１】
2006129443.tif 000026
【図２】
2006129443.tif 000027
【図３】
2006129443.tif 000028
【図４】
2006129443.tif 000029
【図５】
2006129443.tif 000030
【図６】
2006129443.tif 000031
【図７】
2006129443.tif 000032
【図８】
2006129443.tif 000033
【図９】
2006129443.tif 000034
【図１０】
2006129443.tif 000035
【図１１】
2006129443.tif 000036
【図１２】
2006129443.tif 000037
【図１３】
2006129443.tif 000038
【図１４】
2006129443.tif 000039
【図１５】
2006129443.tif 000040
【図１６】
2006129443.tif 000041
【図１７】
2006129443.tif 000042
【図１８】
2006129443.tif 000043
【図１９】
2006129443.tif 000044
【図２０】
2006129443.tif 000045
【図２１】
2006129443.tif 000046
【図２２】
2006129443.tif 000047
【図２３】
2006129443.tif 000048
【図２４】
2006129443.tif 000049
【国際調査報告】
2006129443.tif 000050
2006129443.tif 000051